(57)【要約】  動画ボヤケや動画擬似輪郭をより確実に抑制することができる映像処理装置及び映像表示装置を提供する。  映像処理装置は、入力画像を各サブフィールドの発光データに変換するサブフィールド変換部（２）と、時間的に前後する少なくとも２つ以上の入力画像を用いて動きベクトルを検出する動きベクトル検出部（３）と、動きベクトルに対応する画素分だけ空間的に前方に位置する画素のサブフィールドの発光データを収集することにより、各サブフィールドの発光データを空間的に再配置し、各サブフィールドの再配置発光データを生成する第１のサブフィールド再生成部（４）と、入力画像における第１の画像と第２の画像との隣接領域を検出する隣接領域検出部（４１）とを備え、第１のサブフィールド再生成部（４）は、隣接領域を越えて発光データを収集しない。
2010073562.tif 000002
【特許請求の範囲】
【請求項１】
１フィールド又は１フレームを複数のサブフィールドに分割し、発光する発光サブフィールド及び発光しない非発光サブフィールドを組み合わせて階調表示を行うために入力画像を処理する映像処理装置であって、
前記入力画像を各サブフィールドの発光データに変換するサブフィールド変換部と、
時間的に前後する少なくとも２つ以上の入力画像を用いて動きベクトルを検出する動きベクトル検出部と、
前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、
前記入力画像における、第１の画像と、前記第１の画像に接する第２の画像との隣接領域を検出する検出部とを備え、
前記第１の再生成部は、前記検出部によって検出された前記隣接領域を越えて、前記発光データを収集しないことを特徴とする映像処理装置。
【請求項２】
１フィールド又は１フレームを複数のサブフィールドに分割し、発光する発光サブフィールド及び発光しない非発光サブフィールドを組み合わせて階調表示を行うために入力画像を処理する映像処理装置であって、
前記入力画像を各サブフィールドの発光データに変換するサブフィールド変換部と、
時間的に前後する少なくとも２つ以上の入力画像を用いて動きベクトルを検出する動きベクトル検出部と、
前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、
前記入力画像における、第１の画像と、前記第１の画像に接する第２の画像との隣接領域を検出する検出部とを備え、
前記第１の再生成部は、複数の直線上にあるサブフィールドの発光データを収集することを特徴とする映像処理装置。
【請求項３】
１フィールド又は１フレームを複数のサブフィールドに分割し、発光する発光サブフィールド及び発光しない非発光サブフィールドを組み合わせて階調表示を行うために入力画像を処理する映像処理装置であって、
前記入力画像を各サブフィールドの発光データに変換するサブフィールド変換部と、
時間的に前後する少なくとも２つ以上の入力画像を用いて動きベクトルを検出する動きベクトル検出部と、
前記動きベクトル検出部により検出された動きベクトルに対応して、空間的に前方に位置する画素のサブフィールドについて、前記サブフィールド変換部により変換された、各サブフィールドの発光データを空間的に再配置し、各サブフィールドの再配置発光データを生成する第１の再生成部と、
前記入力画像における、第１の画像と、前記第１の画像に接する第２の画像との隣接領域を検出する検出部とを備え、
前記第１の再生成部により生成された再配置発光データが出力される領域と、前記検出部により検出された隣接領域との間の少なくとも一部の領域には、前記空間的に前方に位置する画素のサブフィールドの発光データが配置されていることを特徴とする映像処理装置。
【請求項４】
前記第１の再生成部は、前記発光データを収集しなかったサブフィールドについて、前記隣接領域の画素のサブフィールドの前記発光データを収集することを特徴とする請求項１〜３のいずれかに記載の映像処理装置。
【請求項５】
前記第１の画像は、前景を表す前景画像を含み、
前記第２の画像は、背景を表す背景画像を含み、
前記前景画像と前記背景画像とが重なる画素毎に、前記前景画像及び前記背景画像のいずれであるかを表す奥行き情報を作成する奥行き情報作成部とをさらに備え、
前記第１の再生成部は、前記奥行き情報作成部によって作成された前記奥行き情報で特定される前記前景画像を構成する画素のサブフィールドの発光データを収集することを特徴とする請求項１〜４のいずれかに記載の映像処理装置。
【請求項６】
前記第１の画像は、前景を表す前景画像を含み、
前記第２の画像は、背景を表す背景画像を含み、
前記前景画像と前記背景画像とが重なる画素毎に、前記前景画像及び前記背景画像のいずれであるかを表す奥行き情報を作成する奥行き情報作成部と、
前記奥行き情報作成部によって作成された前記奥行き情報で特定される前記前景画像を構成する画素について、前記動きベクトル検出部により検出された動きベクトルに対応する画素分だけ空間的に後方に移動した位置にある画素に対応するサブフィールドの発光データを、移動前の画素のサブフィールドの発光データに変更することにより、前記サブフィールド変換部により変換された各サブフィールドの発光データを空間的に再配置し、各サブフィールドの再配置発光データを生成する第２の再生成部とをさらに備えることを特徴とする請求項１〜５のいずれかに記載の映像処理装置。
【請求項７】
前記前景画像は、文字であることを特徴とする請求項６記載の映像処理装置。
【請求項８】
前記第２の再生成部は、前記入力画像において水平方向に移動する前記前景画像を構成する画素についてのみ、前記動きベクトル検出部により検出された動きベクトルに対応する画素分だけ空間的に後方に移動した位置にある画素に対応するサブフィールドの発光データを、移動前の画素のサブフィールドの発光データに変更することを特徴とする請求項６又は７記載の映像処理装置。
【請求項９】
前記奥行き情報作成部は、少なくとも２フレーム以上の動きベクトルの大きさに基づいて、前記奥行き情報を作成することを特徴とする請求項５〜８のいずれかに記載の映像処理装置。
【請求項１０】
請求項１〜９のいずれかに記載の映像処理装置と、
前記映像処理装置から出力される補正後の再配置発光データを用いて映像を表示する表示部とを備えることを特徴とする映像表示装置。
【発明の詳細な説明】
【技術分野】
【０００１】
本発明は、１フィールド又は１フレームを複数のサブフィールドに分割し、発光する発光サブフィールド及び発光しない非発光サブフィールドを組み合わせて階調表示を行うために入力画像を処理する映像処理装置及び該装置を用いた映像表示装置に関するものである。
【背景技術】
【０００２】
プラズマディスプレイ装置は、薄型化及び大画面化が可能であるという利点を有し、このようなプラズマディスプレイ装置に用いられるＡＣ型プラズマディスプレイパネルとしては、走査電極及び維持電極を複数配列して形成したガラス基板からなる前面板と、データ電極を複数配列した背面板とを、走査電極及び維持電極とデータ電極とが直交するように組み合わせてマトリックス状に放電セルを形成し、任意の放電セルを選択してプラズマ発光させることにより、映像が表示される。【０００３】
上記のように映像を表示させる際、１つのフィールドを輝度の重みの異なる複数の画面（以下、これらをサブフィールド（ＳＦ）と呼ぶ）に時間方向に分割し、各サブフィールドにおける放電セルの発光又は非発光を制御することにより、１フィールドの画像すなわち１フレーム画像を表示する。【０００４】
上記のサブフィールド分割を用いた映像表示装置では、動画像を表示するときに、動画擬似輪郭と呼ばれる階調の乱れや動画ボヤケが発生し、表示品位を損ねるという問題がある。この動画擬似輪郭の発生を低減するために、例えば、特許文献１には、動画像に含まれる複数のフィールドのうち一のフィールドの画素を始点とし他の一のフィールドの画素を終点とする動きベクトルを検出するとともに、動画像をサブフィールドの発光データに変換し、動きベクトルを用いた処理によりサブフィールドの発光データを再構成する画像表示装置が開示されている。【０００５】
この従来の画像表示装置では、動きベクトルのうち他の一のフィールドの再構成対象画素を終点とする動きベクトルを選択し、これに所定の関数を乗じて位置ベクトルを算出し、再構成対象画素の一のサブフィールドの発光データを位置ベクトルが示す画素のサブフィールドの発光データを用いて再構成することにより、動画ボヤケや動画擬似輪郭の発生を抑制している。【０００６】
上記のように、従来の画像表示装置では、動画像を各サブフィールドの発光データに変換し、動きベクトルに応じて各サブフィールドの発光データを再配置しており、この各サブフィールドの発光データの再配置方法について、以下に具体的に説明する。【０００７】
図２１は、表示画面の遷移状態の一例を示す模式図であり、図２２は、図２１に示す表示画面を表示するときの各サブフィールドの発光データを再配置する前の各サブフィールドの発光データを説明するための模式図であり、図２３は、図２１に示す表示画面を表示するときの各サブフィールドの発光データを再配置した後の各サブフィールドの発光データを説明するための模式図である。【０００８】
図２１に示すように、連続するフレーム画像として、Ｎ−２フレーム画像Ｄ１、Ｎ−１フレーム画像Ｄ２、Ｎフレーム画像Ｄ３が順に表示され、背景として全画面黒（例えば、輝度レベル０）状態が表示されるとともに、前景として白丸（例えば、輝度レベル２５５）の移動体ＯＪが表示画面の左から右へ移動する場合を例に考える。【０００９】
まず、上記の従来の画像表示装置は、動画像を各サブフィールドの発光データに変換し、図２２に示すように、各フレームに対して各画素の各サブフィールドの発光データが以下のように作成される。【００１０】
ここで、Ｎ−２フレーム画像Ｄ１を表示する場合、１フィールドが５個のサブフィールドＳＦ１〜ＳＦ５から構成されるとすると、まず、Ｎ−２フレームにおいて、移動体ＯＪに対応する画素Ｐ−１０のすべてのサブフィールドＳＦ１〜ＳＦ５の発光データが発光状態（図中のハッチングされたサブフィールド）になり、他の画素のサブフィールドＳＦ１〜ＳＦ５の発光データが非発光状態（図示省略）になる。次に、Ｎ−１フレームにおいて、移動体ＯＪが５画素分だけ水平に移動した場合、移動体ＯＪに対応する画素Ｐ−５のすべてのサブフィールドＳＦ１〜ＳＦ５の発光データが発光状態になり、他の画素のサブフィールドＳＦ１〜ＳＦ５の発光データが非発光状態になる。次に、Ｎフレームにおいて、移動体ＯＪがさらに５画素分だけ水平に移動した場合、移動体ＯＪに対応する画素Ｐ−０のすべてのサブフィールドＳＦ１〜ＳＦ５の発光データが発光状態になり、他の画素のサブフィールドＳＦ１〜ＳＦ５の発光データが非発光状態になる。【００１１】
次に、上記の従来の画像表示装置は、動きベクトルに応じて各サブフィールドの発光データを再配置し、図２３に示すように、各フレームに対して各画素の各サブフィールドの再配置後の発光データが以下のように作成される。【００１２】
まず、Ｎ−２フレームとＮ−１フレームとから動きベクトルＶ１として、５画素分の水平方向の移動量が検出された場合、Ｎ−１フレームにおいて、画素Ｐ−５の第１サブフィールドＳＦ１の発光データ（発光状態）は、４画素分だけ左方向へ移動され、画素Ｐ−９の第１サブフィールドＳＦ１の発光データが非発光状態から発光状態（図中のハッチングされたサブフィールド）に変更され、画素Ｐ−５の第１サブフィールドＳＦ１の発光データが発光状態から非発光状態（図中の破線白抜きのサブフィールド）に変更される。【００１３】
また、画素Ｐ−５の第２サブフィールドＳＦ２の発光データ（発光状態）は、３画素分だけ左方向へ移動され、画素Ｐ−８の第２サブフィールドＳＦ２の発光データが非発光状態から発光状態に変更され、画素Ｐ−５の第２サブフィールドＳＦ２の発光データが発光状態から非発光状態に変更される。【００１４】
また、画素Ｐ−５の第３サブフィールドＳＦ３の発光データ（発光状態）は、２画素分だけ左方向へ移動され、画素Ｐ−７の第３サブフィールドＳＦ３の発光データが非発光状態から発光状態に変更され、画素Ｐ−５の第３サブフィールドＳＦ３の発光データが発光状態から非発光状態に変更される。【００１５】
また、画素Ｐ−５の第４サブフィールドＳＦ４の発光データ（発光状態）は、１画素分だけ左方向へ移動され、画素Ｐ−６の第４サブフィールドＳＦ４の発光データが非発光状態から発光状態に変更され、画素Ｐ−５の第４サブフィールドＳＦ４の発光データが発光状態から非発光状態に変更される。また、画素Ｐ−５の第５サブフィールドＳＦ５の発光データは、変更されない。【００１６】
同様に、Ｎ−１フレームとＮフレームとから動きベクトルＶ２として、５画素分の水平方向の移動量が検出された場合、画素Ｐ−０の第１〜第４サブフィールドＳＦ１〜ＳＦ４の発光データ（発光状態）が４〜１画素分だけ左方向へ移動され、画素Ｐ−４の第１サブフィールドＳＦ１の発光データが非発光状態から発光状態に変更され、画素Ｐ−３の第２サブフィールドＳＦ２の発光データが非発光状態から発光状態に変更され、画素Ｐ−２の第３サブフィールドＳＦ３の発光データが非発光状態から発光状態に変更され、画素Ｐ−１の第４サブフィールドＳＦ４の発光データが非発光状態から発光状態に変更され、画素Ｐ−０の第１〜第４サブフィールドＳＦ１〜ＳＦ４の発光データが発光状態から非発光状態に変更され、第５サブフィールドＳＦ５の発光データは、変更されない。【００１７】
上記のサブフィールドの再配置処理により、Ｎ−２フレームからＮフレームへ遷移する表示画像を視聴者が見た場合、視線方向が矢印ＡＲ方向に沿ってスムーズに移動することとなり、動画ボヤケや動画擬似輪郭の発生を抑制することができる。【００１８】
しかしながら、従来のサブフィールドの再配置処理でサブフィールドの発光位置を補正すると、動きベクトルに基づいて空間的に前方に位置する画素のサブフィールドが当該画素よりも後方の画素に分配されるので、本来であれば分配されないはずの画素からサブフィールドが分配される場合があった。この従来のサブフィールドの再配置処理の問題点について、以下に具体的に説明する。【００１９】
図２４は、前景画像の背後を背景画像が通過する様子を表す表示画面の一例を示す図であり、図２５は、図２４に示す前景画像と背景画像との境界部分における、各サブフィールドの発光データを再配置する前の各サブフィールドの発光データの一例を示す模式図であり、図２６は、各サブフィールドの発光データを再配置した後の各サブフィールドの発光データの一例を示す模式図であり、図２７は、各サブフィールドの発光データを再配置した後の図２４に示す表示画面における前景画像と背景画像との境界部分を示す図である。【００２０】
図２４に示す表示画面Ｄ４では、前景画像である木Ｔ１の背後を背景画像である車Ｃ１が通過している。木Ｔ１は静止しており、車Ｃ１は右方向へ移動している。このとき、前景画像と背景画像との境界部分Ｋ１は、図２５に示される。図２５において、画素Ｐ−０〜Ｐ−８が、木Ｔ１を構成する画素であり、画素Ｐ−９〜Ｐ−１７が、車Ｃ１を構成する画素である。なお、図２５では、同じ画素に属するサブフィールドを同じハッチングで表している。Ｎフレームにおける車Ｃ１は、Ｎ−１フレームから６画素分移動している。したがって、Ｎ−１フレームの画素Ｐ−１５における発光データは、Ｎフレームの画素Ｐ−９に移動している。【００２１】
ここで、上記の従来の画像表示装置は、動きベクトルに応じて各サブフィールドの発光データを再配置し、図２６に示すように、Ｎフレームにおける各画素の各サブフィールドの再配置後の発光データが以下のように作成される。【００２２】
すなわち、画素Ｐ−８〜Ｐ−４の第１〜第５サブフィールドＳＦ１〜ＳＦ５の発光データが５〜１画素分だけ左方向へ移動され、画素Ｐ−８〜Ｐ−４の第６サブフィールドＳＦ６の発光データは、変更されない。【００２３】
上記のサブフィールドの再配置処理により、画素Ｐ−９の第１〜第５サブフィールドＳＦ１〜ＳＦ５の発光データ、画素Ｐ−１０の第１〜第４サブフィールドＳＦ１〜ＳＦ４の発光データ、画素Ｐ−１１の第１〜第３サブフィールドＳＦ１〜ＳＦ３の発光データ、画素Ｐ−１２の第１〜第２サブフィールドＳＦ１〜ＳＦ２の発光データ、及び画素Ｐ−１３の第１サブフィールドＳＦ１の発光データは、木Ｔ１を構成する画素に対応するサブフィールドの発光データとなる。【００２４】
つまり、図２６の三角形で示す領域Ｒ１内のサブフィールドは、木Ｔ１のサブフィールドの発光データが再配置されることとなる。本来、画素Ｐ−９〜Ｐ−１３は、車Ｃ１に属しているので、木Ｔ１に属する画素Ｐ−８〜Ｐ−４の第１〜第５サブフィールドＳＦ１〜ＳＦ５の発光データが再配置されると、図２７に示すように、車Ｃ１と木Ｔ１との境界部分において動画ボヤケや動画擬似輪郭が発生し、画質が劣化する。【００２５】
また、前景画像と背景画像とが重なった領域において、従来のサブフィールドの再配置処理でサブフィールドの発光位置を補正すると、前景画像を構成するサブフィールドの発光データと、背景画像を構成するサブフィールドの発光データとのうちのいずれの発光データを配置すべきかがわからないという問題が発生する。この従来のサブフィールドの再配置処理の問題点について、以下に具体的に説明する。【００２６】
図２８は、背景画像の前を前景画像が通過する様子を表す表示画面の一例を示す図であり、図２９は、図２８に示す前景画像と背景画像との重複部分における、各サブフィールドの発光データを再配置する前の各サブフィールドの発光データの一例を示す模式図であり、図３０は、各サブフィールドの発光データを再配置した後の各サブフィールドの発光データの一例を示す模式図であり、図３１は、各サブフィールドの発光データを再配置した後の図２８に示す表示画面における前景画像と背景画像との重複部分を示す図である。【００２７】
図２８に示す表示画面Ｄ５では、背景画像である木Ｔ２の前を前景画像であるボールＢ１が通過している。木Ｔ２は静止しており、ボールＢ１は右方向へ移動している。このとき、前景画像と背景画像との重複部分は、図２９に示される。図２９において、ＮフレームにおけるボールＢ１は、Ｎ−１フレームから７画素分移動している。したがって、Ｎ−１フレームの画素Ｐ−１４〜Ｐ−１６における発光データは、Ｎフレームの画素Ｐ−７〜Ｐ−９に移動している。なお、図２９では、同じ画素に属するサブフィールドを同じハッチングで表している。【００２８】
ここで、上記の従来の画像表示装置は、動きベクトルに応じて各サブフィールドの発光データを再配置し、図３０に示すように、Ｎフレームにおける各画素の各サブフィールドの再配置後の発光データが以下のように作成される。【００２９】
すなわち、画素Ｐ−７〜Ｐ−９の第１〜第５サブフィールドＳＦ１〜ＳＦ５の発光データが５〜１画素分だけ左方向へ移動され、画素Ｐ−７〜Ｐ−９の第６サブフィールドＳＦ６の発光データは、変更されない。【００３０】
このとき、画素Ｐ−７〜Ｐ−９は、動きベクトルの値が０ではないため、画素Ｐ−７の第６サブフィールドＳＦ６、画素Ｐ−８の第５〜第６サブフィールドＳＦ５〜ＳＦ６、及び画素Ｐ−９の第４〜第６サブフィールドＳＦ４〜ＳＦ６は、それぞれ前景画像に対応する発光データが再配置される。しかしながら、画素Ｐ−１０〜Ｐ−１４は、動きベクトルの値が０であるため、画素Ｐ−１０の第３〜第５サブフィールドＳＦ３〜ＳＦ５、画素Ｐ−１１の第２〜第４サブフィールドＳＦ２〜ＳＦ４、画素Ｐ−１２の第１〜第３サブフィールドＳＦ１〜ＳＦ３、画素Ｐ−１３の第１〜第２サブフィールドＳＦ１〜ＳＦ２、及び画素Ｐ−１４の第１サブフィールドＳＦ１は、それぞれ背景画像に対応する発光データが再配置されるか、前景画像に対応する発光データが再配置されるかがわからない。【００３１】
図３０の四角形で示す領域Ｒ２内のサブフィールドは、背景画像に対応する発光データが再配置された場合を示している。このように、前景画像と背景画像との重なり部分において、背景画像に対応する発光データが再配置された場合、図３０に示すように、ボールＢ１の輝度が低下し、ボールＢ１と木Ｔ２との重複部分において動画ボヤケや動画擬似輪郭が発生し、画質が劣化する。
【先行技術文献】
【特許文献】
【００３２】
【特許文献１】特開２００８−２０９６７１号公報
【発明の概要】
【００３３】
本発明の目的は、動画ボヤケや動画擬似輪郭をより確実に抑制することができる映像処理装置及び映像表示装置を提供することである。
【００３４】
本発明の一局面に係る映像処理装置は、１フィールド又は１フレームを複数のサブフィールドに分割し、発光する発光サブフィールド及び発光しない非発光サブフィールドを組み合わせて階調表示を行うために入力画像を処理する映像処理装置であって、前記入力画像を各サブフィールドの発光データに変換するサブフィールド変換部と、時間的に前後する少なくとも２つ以上の入力画像を用いて動きベクトルを検出する動きベクトル検出部と、前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、前記入力画像における、第１の画像と、前記第１の画像に接する第２の画像との隣接領域を検出する検出部とを備え、前記第１の再生成部は、前記境界検出部によって検出された前記隣接領域を越えて、前記発光データを収集しない。
【００３５】
この映像処理装置においては、入力画像が各サブフィールドの発光データに変換され、時間的に前後する少なくとも２つ以上の入力画像を用いて動きベクトルが検出される。そして、動きベクトルに対応する画素分だけ空間的に前方に位置する画素のサブフィールドの発光データを収集することにより、各サブフィールドの発光データが空間的に再配置され、各サブフィールドの再配置発光データが生成される。このとき、入力画像における、第１の画像と、第１の画像に接する第２の画像との隣接領域が検出され、検出された隣接領域を越えて、発光データが収集されない。
【００３６】
本発明によれば、動きベクトルに対応する画素分だけ空間的に前方に位置する画素のサブフィールドの発光データを収集する際に、入力画像における、第１の画像と、第１の画像に接する第２の画像との隣接領域を越えて発光データが収集されないので、前景画像と背景画像との境界付近で発生する動画ボヤケや動画擬似輪郭をより確実に抑制することができる。
【００３７】
本発明の目的、特徴及び利点は、以下の詳細な説明と添付図面とによって、より明白となる。
【図面の簡単な説明】
【００３８】
【図１】本発明の一実施形態による映像表示装置の構成を示すブロック図である。
【図２】本実施の形態におけるサブフィールドの再配置処理について説明するための模式図である。
【図３】境界検出を行わない場合におけるサブフィールドの再配置を示す模式図である。
【図４】境界検出を行った場合におけるサブフィールドの再配置を示す模式図である。
【図５】本実施の形態において図２５に示すサブフィールドを再配置した後の各サブフィールドの発光データの一例を示す模式図である。
【図６】本実施の形態において各サブフィールドの発光データを再配置した後の図２４に示す表示画面における前景画像と背景画像との境界部分を示す図である。
【図７】本実施の形態において図２９に示すサブフィールドを再配置した後の各サブフィールドの発光データの一例を示す模式図である。
【図８】本実施の形態において各サブフィールドの発光データを再配置した後の図２８に示す表示画面における前景画像と背景画像との境界部分を示す図である。
【図９】再配置処理前の各サブフィールドの発光データの一例を示す模式図である。
【図１０】前景画像と背景画像との境界を越えて発光データを収集しない再配置処理後の各サブフィールドの発光データの一例を示す模式図である。
【図１１】第２のサブフィールド再生成部による再配置処理後の各サブフィールドの発光データの一例を示す模式図である。
【図１２】前景画像の背後を背景画像が通過する様子を表す表示画面の一例を示す図である。
【図１３】図１２に示す前景画像と背景画像との境界部分における、各サブフィールドの発光データを再配置する前の各サブフィールドの発光データの一例を示す模式図である。
【図１４】従来の再配置方法により各サブフィールドの発光データを再配置した後の各サブフィールドの発光データの一例を示す模式図である。
【図１５】本実施の形態の再配置方法により各サブフィールドの発光データを再配置した後の各サブフィールドの発光データの一例を示す模式図である。
【図１６】互いに対向する方向へ移動する第１の画像と第２の画像とが画面中央付近で互いの背後に入り込む様子を表す表示画面の一例を示す図である。
【図１７】図１６に示す第１の画像と第２の画像との境界部分における、各サブフィールドの発光データを再配置する前の各サブフィールドの発光データの一例を示す模式図である。
【図１８】従来の再配置方法により各サブフィールドの発光データを再配置した後の各サブフィールドの発光データの一例を示す模式図である。
【図１９】本実施の形態の再配置方法により各サブフィールドの発光データを再配置した後の各サブフィールドの発光データの一例を示す模式図である。
【図２０】本発明の他の実施形態による映像表示装置の構成を示すブロック図である。
【図２１】表示画面の遷移状態の一例を示す模式図である。
【図２２】図２１に示す表示画面を表示するときの各サブフィールドの発光データを再配置する前の各サブフィールドの発光データを説明するための模式図である。
【図２３】図２１に示す表示画面を表示するときの各サブフィールドの発光データを再配置した後の各サブフィールドの発光データを説明するための模式図である。
【図２４】前景画像の背後を背景画像が通過する様子を表す表示画面の一例を示す図である。
【図２５】図２４に示す前景画像と背景画像との境界部分における、各サブフィールドの発光データを再配置する前の各サブフィールドの発光データの一例を示す模式図である。
【図２６】各サブフィールドの発光データを再配置した後の各サブフィールドの発光データの一例を示す模式図である。
【図２７】各サブフィールドの発光データを再配置した後の図２４に示す表示画面における前景画像と背景画像との境界部分を示す図である。
【図２８】背景画像の前を前景画像が通過する様子を表す表示画面の一例を示す図である。
【図２９】図２８に示す前景画像と背景画像との重複部分における、各サブフィールドの発光データを再配置する前の各サブフィールドの発光データの一例を示す模式図である。
【図３０】各サブフィールドの発光データを再配置した後の各サブフィールドの発光データの一例を示す模式図である。
【図３１】各サブフィールドの発光データを再配置した後の図２８に示す表示画面における前景画像と背景画像との重複部分を示す図である。
【発明を実施するための形態】
【００３９】
以下、本発明に係る映像表示装置について図面を参照しながら説明する。以下の実施形態では、映像表示装置の一例としてプラズマディスプレイ装置を例に説明するが、本発明が適用される映像表示装置はこの例に特に限定されず、１フィールド又は１フレームを複数のサブフィールドに分割して階調表示を行うものであれば、他の映像表示装置にも同様に適用可能である。
【００４０】
また、本明細書において、「サブフィールド」との記載は「サブフィールド期間」という意味も含み、「サブフィールドの発光」との記載は「サブフィールド期間における画素の発光」という意味も含むものとする。また、サブフィールドの発光期間は、視聴者が視認可能なように維持放電により発光している維持期間を意味し、視聴者が視認可能な発光を行っていない初期化期間及び書き込み期間等を含まず、サブフィールドの直前の非発光期間は、視聴者が視認可能な発光を行っていない期間を意味し、視聴者が視認可能な発光を行っていない初期化期間、書き込み期間及び維持期間等を含む。
【００４１】
図１は、本発明の一実施形態による映像表示装置の構成を示すブロック図である。図１に示す映像表示装置は、入力部１、サブフィールド変換部２、動きベクトル検出部３、第１のサブフィールド再生成部４、第２のサブフィールド再生成部５及び画像表示部６を備える。また、サブフィールド変換部２、動きベクトル検出部３、第１のサブフィールド再生成部４及び第２のサブフィールド再生成部５により、１フィールド又は１フレームを複数のサブフィールドに分割し、発光する発光サブフィールド及び発光しない非発光サブフィールドを組み合わせて階調表示を行うために入力画像を処理する映像処理装置が構成されている。
【００４２】
入力部１は、例えば、ＴＶ放送用のチューナー、画像入力端子、ネットワーク接続端子などを備え、入力部１に動画像データが入力される。入力部１は、入力された動画像データに公知の変換処理等を行い、変換処理後のフレーム画像データをサブフィールド変換部２及び動きベクトル検出部３へ出力する。
【００４３】
サブフィールド変換部２は、１フレーム画像データすなわち１フィールドの画像データを各サブフィールドの発光データに順次変換し、第１のサブフィールド再生成部４へ出力する。
【００４４】
ここで、サブフィールドを用いて階調を表現する映像表示装置の階調表現方法について説明する。１つのフィールドをＫ個のサブフィールドから構成し、各サブフィールドに輝度に対応する所定の重み付けを行い、この重み付けに応じて各サブフィールドの輝度が変化するように発光期間を設定する。例えば、７個のサブフィールドを用い、２のＫ乗の重み付けを行った場合、第１〜第７サブフィールドの重みはそれぞれ、１、２、４、８、１６、３２、６４となり、各サブフィールドの発光状態又は非発光状態を組み合わせることにより、０〜１２７階調の範囲で映像を表現することができる。なお、サブフィールドの分割数及び重み付けは、上記の例に特に限定されず、種々の変更が可能である。
【００４５】
動きベクトル検出部３には、時間的に連続する２つのフレーム画像データ、例えば、フレームＮ−１の画像データ及びフレームＮの画像データが入力され、動きベクトル検出部３は、これらのフレーム間の動き量を検出することによりフレームＮの画素毎の動きベクトルを検出し、第１のサブフィールド再生成部４へ出力する。この動きベクトル検出方法としては、公知の動きベクトル検出方法が用いられ、例えば、ブロック毎のマッチング処理による検出方法が用いられる。
【００４６】
第１のサブフィールド再生成部４は、時間的に先行するサブフィールドが大きく移動するように、動きベクトル検出部３により検出された動きベクトルに対応する画素分だけ空間的に前方に位置する画素のサブフィールドの発光データを収集することにより、サブフィールド変換部２により変換された各サブフィールドの発光データをフレームＮの画素毎に空間的に再配置し、フレームＮの画素毎に各サブフィールドの再配置発光データを生成する。なお、第１のサブフィールド再生成部４は、動きベクトルの方向によって特定される平面内において、２次元的に前方に位置する画素のサブフィールドの発光データを収集する。また、第１のサブフィールド再生成部４は、隣接領域検出部４１、重なり検出部４２及び奥行き情報作成部４３を含む。
【００４７】
隣接領域検出部４１は、サブフィールド変換部２から出力されたフレーム画像データにおける前景画像と背景画像との隣接領域を検出することにより、前景画像と背景画像との境界を検出する。隣接領域検出部４１は、注目画素のベクトル値と、発光データの収集先の画素のベクトル値とに基づいて隣接領域を検出する。なお、隣接領域とは、第１の画像と第２の画像とが接している画素及びその周辺数画素を含む領域をいう。また、さらに、隣接領域は、空間的に隣接する画素であり、隣接する画素間の動きベクトルが所定の値以上の差を有する領域と定義することも可能である。
【００４８】
なお、本実施の形態では、隣接領域検出部４１は、前景画像と背景画像との隣接領域を検出しているが、本発明は特にこれに限定されず、第１の画像と、第１の画像に接する第２の画像との隣接領域を検出してもよい。
【００４９】
重なり検出部４２は、前景画像と背景画像との重なりを検出する。奥行き情報作成部４３は、重なり検出部４２によって重なりが検出された場合、前景画像と背景画像とが重なる画素毎に、前景画像及び背景画像のいずれであるかを表す奥行き情報を作成する。奥行き情報作成部４３は、少なくとも２フレーム以上の動きベクトルの大きさに基づいて、奥行き情報を作成する。また、奥行き情報作成部４３は、前景画像が文字を表す文字情報であるか否かを判断する。
【００５０】
第２のサブフィールド再生成部５は、フレームＮの各画素のサブフィールドの配置順に従い、時間的に先行するサブフィールドが大きく移動するように、動きベクトルに対応する画素分だけ空間的に後方に移動した位置にある画素の対応するサブフィールドの発光データを、移動前の画素のサブフィールドの発光データに変更する。なお、第２のサブフィールド再生成部５は、動きベクトルの方向によって特定される平面内において、２次元的に後方に移動した位置にある画素の対応するサブフィールドの発光データを、移動前の画素のサブフィールドの発光データに変更する。
【００５１】
ここで、本実施の形態の第１のサブフィールド再生成部４におけるサブフィールドの再配置処理について説明する。本実施の形態では、近傍の動きベクトルは変化しないと仮定して、ある画素の空間的に前方にある画素のサブフィールドの発光データが収集される。
【００５２】
図２は、本実施の形態におけるサブフィールドの再配置処理について説明するための模式図である。第１のサブフィールド再生成部４は、動きベクトルに応じて各サブフィールドの発光データを再配置し、図２に示すように、各フレームに対して各画素の各サブフィールドの再配置後の発光データが以下のように作成される。
【００５３】
まず、Ｎ−１フレームとＮフレームとから動きベクトルＶ１として、５画素分の水平方向の移動量が検出された場合、Ｎフレームにおいて、画素Ｐ−５の第１サブフィールドＳＦ１の発光データは、４画素分だけ空間的に前方（右方向）の画素Ｐ−１の第１サブフィールドＳＦ１の発光データに変更され、画素Ｐ−５の第２サブフィールドＳＦ２の発光データは、３画素分だけ空間的に前方（右方向）の画素Ｐ−２の第２サブフィールドＳＦ２の発光データに変更され、画素Ｐ−５の第３サブフィールドＳＦ３の発光データは、２画素分だけ空間的に前方（右方向）の画素Ｐ−３の第３サブフィールドＳＦ３の発光データに変更され、画素Ｐ−５の第４サブフィールドＳＦ４の発光データは、１画素分だけ空間的に前方（右方向）の画素Ｐ−４の第４サブフィールドＳＦ４の発光データに変更され、画素Ｐ−５の第５サブフィールドＳＦ５の発光データは、変更されない。なお、本実施の形態において、発光データは、発光状態及び非発光状態のいずれかを表している。
【００５４】
上記のサブフィールドの再配置処理により、Ｎ−１フレームからＮフレームへ遷移する表示画像を視聴者が見た場合、視線方向が矢印ＢＲ方向に沿ってスムーズに移動することとなり、動画ボヤケや動画擬似輪郭の発生を抑制することができる。
【００５５】
このように、本実施の形態では、図２３に示す再配置方法と異なり、第１のサブフィールド再生成部４は、時間的に先行するサブフィールドが大きく移動するように、動きベクトル検出部３により検出された動きベクトルに対応する画素分だけ空間的に前方に位置する画素のサブフィールドの発光データを収集することにより、サブフィールド変換部２により変換された各サブフィールドの発光データを空間的に再配置し、各サブフィールドの再配置発光データを生成する。
【００５６】
このとき、図２６に示すように、移動している背景画像と静止している前景画像との境界において、領域Ｒ１内のサブフィールドは、前景画像のサブフィールドの発光データが再配置されることとなる。そこで、第１のサブフィールド再生成部４は、隣接領域検出部４１によって検出された隣接領域を越えて、発光データを収集しない。そして、第１のサブフィールド再生成部４は、発光データを収集しなかったサブフィールドについて、隣接領域よりも内側であり、かつ隣接領域の画素のサブフィールドの発光データを収集する。
【００５７】
また、図３０に示すように、移動している前景画像と静止している背景画像との重なり部分において、領域Ｒ２内のサブフィールドは、前景画像のサブフィールドの発光データと、背景画像のサブフィールドの発光データとのうちのいずれの発光データを再配置すべきかがわからず、背景画像のサブフィールドの発光データが再配置された場合、前景画像の輝度が低下してしまう。そこで、第１のサブフィールド再生成部４は、重なり検出部４２によって重なりが検出された場合、奥行き情報作成部４３によって作成された奥行き情報に基づいて、前景画像を構成する画素のサブフィールドの発光データを収集する。
【００５８】
なお、第１のサブフィールド再生成部４は、重なり検出部４２によって重なりが検出された場合、常に、奥行き情報作成部４３によって作成された奥行き情報に基づいて、前景画像を構成する画素のサブフィールドの発光データを収集してもよい。しかしながら、本実施の形態では、第１のサブフィールド再生成部４は、重なり検出部４２によって重なりが検出され、かつ奥行き情報作成部４３によって前景画像が文字情報でないと判断された場合、前景画像を構成する画素のサブフィールドの発光データを収集する。
【００５９】
前景画像が文字であり、文字が背景画像上を移動する場合、空間的に前方に位置する画素のサブフィールドの発光データを収集するよりも、空間的に後方に移動した位置にある画素に対応するサブフィールドの発光データを、移動前の画素のサブフィールドの発光データに変更したほうが、視聴者の視線方向をよりスムーズに移動させることができる。
【００６０】
そのため、第２のサブフィールド再生成部５は、重なり検出部４２によって重なりが検出され、かつ奥行き情報作成部４３によって前景画像が文字情報であると判断された場合、奥行き情報作成部４３によって作成された奥行き情報に基づいて、前景画像を構成する画素について、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更する。
【００６１】
画像表示部６は、プラズマディスプレイパネル及びパネル駆動回路等を備え、生成された再配置発光データに基づいて、プラズマディスプレイパネルの各画素の各サブフィールドの点灯又は消灯を制御して動画像を表示する。
【００６２】
次に、上記のように構成された映像表示装置による発光データの再配置処理について具体的に説明する。まず、入力部１に動画像データが入力され、入力部１は、入力された動画像データに所定の変換処理を行い、変換処理後のフレーム画像データをサブフィールド変換部２及び動きベクトル検出部３へ出力する。
【００６３】
次に、サブフィールド変換部２は、フレーム画像データを画素毎に第１〜第６サブフィールドＳＦ１〜ＳＦ６の発光データに順次変換し、第１のサブフィールド再生成部４へ出力する。
【００６４】
例えば、図２４に示すような、前景画像である木Ｔ１の背後を背景画像である車Ｃ１が通過する動画像データが入力部１に入力されたとする。このとき、木Ｔ１と車Ｃ１との境界付近の画素は、図２５に示すように第１〜第６サブフィールドＳＦ１〜ＳＦ６の発光データに変換される。サブフィールド変換部２は、図２５に示すように、画素Ｐ−０〜Ｐ−８の第１〜第６サブフィールドＳＦ１〜ＳＦ６を木Ｔ１に対応する発光状態に設定し、画素Ｐ−９〜Ｐ−１７の第１〜第６サブフィールドＳＦ１〜ＳＦ６を車Ｃ１に対応する発光状態に設定した発光データを生成する。したがって、サブフィールドの再配置を行わない場合は、図２５に示すサブフィールドによる画像が表示画面に表示される。
【００６５】
上記の第１〜第６サブフィールドＳＦ１〜ＳＦ６の発光データの作成に並行して、動きベクトル検出部３は、時間的に連続する２つのフレーム画像データ間の画素毎の動きベクトルを検出し、第１のサブフィールド再生成部４へ出力する。
【００６６】
次に、第１のサブフィールド再生成部４は、第１〜第６サブフィールドＳＦ１〜ＳＦ６の配置順に従い、時間的に先行するサブフィールドが大きく移動するように、動きベクトルに対応する画素分だけ空間的に前方に位置する画素のサブフィールドの発光データを収集する。これにより、第１のサブフィールド再生成部４は、サブフィールド変換部２により変換された各サブフィールドの発光データを空間的に再配置し、各サブフィールドの再配置発光データを生成する。
【００６７】
隣接領域検出部４１は、サブフィールド変換部２から出力されたフレーム画像データにおける前景画像と背景画像との境界（隣接領域）を検出する。
【００６８】
ここで、隣接領域検出部４１による境界検出方法について具体的に説明する。図３は、境界検出を行わない場合におけるサブフィールドの再配置を示す模式図であり、図４は、境界検出を行った場合におけるサブフィールドの再配置を示す模式図である。
【００６９】
隣接領域検出部４１は、注目画素の各サブフィールドについて、注目画素のベクトル値と、収集先の画素のベクトル値との差が所定値より大きい場合、当該収集先の画素が境界を越えた位置にあると判断する。すなわち、隣接領域検出部４１は、注目画素の各サブフィールドについて、注目画素のベクトル値Ｖａｌと、収集先の画素のベクトル値との差ｄｉｆｆが下記の（１）式を満たす場合、当該収集先の画素が境界を越えた位置にあると判断する。
【００７０】
ｄｉｆｆ＞±Ｖａｌ／２・・・（１）
【００７１】
例えば、図３において、注目画素Ｐ−１０の第１サブフィールドＳＦ１の発光データは、画素Ｐ−０の第１サブフィールドＳＦ１の発光データに変更され、注目画素Ｐ−１０の第２サブフィールドＳＦ２の発光データは、画素Ｐ−２の第２サブフィールドＳＦ２の発光データに変更され、注目画素Ｐ−１０の第３サブフィールドＳＦ３の発光データは、画素Ｐ−４の第３サブフィールドＳＦ３の発光データに変更され、注目画素Ｐ−１０の第４サブフィールドＳＦ４の発光データは、画素Ｐ−６の第４サブフィールドＳＦ４の発光データに変更され、注目画素Ｐ−１０の第５サブフィールドＳＦ５の発光データは、画素Ｐ−８の第５サブフィールドＳＦ５の発光データに変更され、注目画素Ｐ−１０の第６サブフィールドＳＦ６の発光データは、変更されない。
【００７２】
このとき、画素Ｐ−１０〜Ｐ−０のベクトル値は、それぞれ“６”、“６”、“４”、“６”、“０”及び“０”である。注目画素Ｐ−１０の第１サブフィールドＳＦ１については、注目画素Ｐ−１０のベクトル値と画素Ｐ−０のベクトル値との差ｄｉｆｆは“６”であり、Ｖａｌ／２は“３”であるので、上記（１）式を満たすこととなる。この場合、隣接領域検出部４１は、画素Ｐ−０が境界を越えた位置にあると判断し、第１のサブフィールド再生成部４は、注目画素Ｐ−１０の第１サブフィールドＳＦ１の発光データを画素Ｐ−０の第１サブフィールドＳＦ１の発光データに変更しない。
【００７３】
同様に、注目画素Ｐ−１０の第２サブフィールドＳＦ２については、注目画素Ｐ−１０のベクトル値と画素Ｐ−２のベクトル値との差ｄｉｆｆは“６”であり、Ｖａｌ／２は“３”であるので、上記（１）式を満たすこととなる。この場合、隣接領域検出部４１は、画素Ｐ−２が境界を越えた位置にあると判断し、第１のサブフィールド再生成部４は、注目画素Ｐ−１０の第２サブフィールドＳＦ２の発光データを画素Ｐ−２の第２サブフィールドＳＦ２の発光データに変更しない。
【００７４】
一方、注目画素Ｐ−１０の第３サブフィールドＳＦ３については、注目画素Ｐ−１０のベクトル値と画素Ｐ−４のベクトル値との差ｄｉｆｆは“０”であり、Ｖａｌ／２は“３”であるので、上記（１）式を満たさないこととなる。この場合、隣接領域検出部４１は、画素Ｐ−４が境界内にあると判断し、第１のサブフィールド再生成部４は、注目画素Ｐ−１０の第３サブフィールドＳＦ３の発光データを画素Ｐ−４の第３サブフィールドＳＦ３の発光データに変更する。
【００７５】
注目画素Ｐ−１０の第４及び第５サブフィールドＳＦ４及びＳＦ５についても、隣接領域検出部４１は、画素Ｐ−６及びＰ−８が境界内にあると判断し、第１のサブフィールド再生成部４は、注目画素Ｐ−１０の第４及び第５サブフィールドＳＦ４及びＳＦ５の発光データを画素Ｐ−６及びＰ−８の第４及び第５サブフィールドＳＦ４及びＳＦ５の発光データに変更する。
【００７６】
このとき、注目画素Ｐ−１０の第１サブフィールドＳＦ１のシフト量は、１０画素であり、注目画素Ｐ−１０の第２サブフィールドＳＦ２のシフト量は、８画素であり、注目画素Ｐ−１０の第３サブフィールドＳＦ３のシフト量は、６画素であり、注目画素Ｐ−１０の第４サブフィールドＳＦ４のシフト量は、４画素であり、注目画素Ｐ−１０の第５サブフィールドＳＦ５のシフト量は、２画素であり、注目画素Ｐ−１０の第６サブフィールドＳＦ６のシフト量は、０画素である。
【００７７】
隣接領域検出部４１は、上記の判断により、どの画素が境界内にあるかわかるので、収集先の画素が境界外にあると判断された注目画素のサブフィールドの発光データは、境界よりも内側であり、かつ境界に最も近い画素のサブフィールドの発光データに変更される。
【００７８】
すなわち、第１のサブフィールド再生成部４は、図４に示すように、注目画素Ｐ−１０の第１サブフィールドＳＦ１の発光データを、境界よりも内側であり、かつ境界に最も近い画素Ｐ−４の第１サブフィールドＳＦ１の発光データに変更し、注目画素Ｐ−１０の第２サブフィールドＳＦ２の発光データを、境界よりも内側であり、かつ境界に最も近い画素Ｐ−４の第２サブフィールドＳＦ２の発光データに変更する。
【００７９】
このとき、注目画素Ｐ−１０の第１サブフィールドＳＦ１のシフト量は、１０画素から６画素に変更され、注目画素Ｐ−１０の第２サブフィールドＳＦ２のシフト量は、８画素から６画素に変更される。
【００８０】
このように、第１のサブフィールド再生成部４は、図３に示すような一直線上に並んだサブフィールドの発光データを収集するのではなく、図４に示すような複数の直線上にあるサブフィールドの発光データを収集する。
【００８１】
なお、本実施の形態では、隣接領域検出部４１は、注目画素の各サブフィールドについて、注目画素のベクトル値Ｖａｌと、収集先の画素のベクトル値との差ｄｉｆｆが上記の（１）式を満たす場合、当該収集先の画素が境界を越えた位置にあると判断しているが、本発明は特にこれに限定されない。
【００８２】
すなわち、注目画素のベクトル値が小さい場合、境界であるにもかかわらず、差ｄｉｆｆが上記の（１）式を満たさない虞がある。そこで、隣接領域検出部４１は、注目画素の各サブフィールドについて、注目画素のベクトル値Ｖａｌと、収集先の画素のベクトル値との差ｄｉｆｆが下記の（２）式を満たす場合、当該収集先の画素が境界を越えた位置にあると判断してもよい。
【００８３】
ｄｉｆｆ＞Ｍａｘ（３，Ｖａｌ／２）・・・（２）
【００８４】
隣接領域検出部４１は、上記の（２）式に示すように、注目画素のベクトル値Ｖａｌと、収集先の画素のベクトル値との差ｄｉｆｆが、Ｖａｌ／２と“３”とのうちのいずれか大きい方の値より大きい場合、収集先の画素が境界を越えた位置にあると判断する。なお、上記の（２）式において、差ｄｉｆｆと比較する数値である“３”は一例であり、例えば、“２”、“４”又は“５”等の他の数値であってもよい。
【００８５】
図５は、本実施の形態において図２５に示すサブフィールドを再配置した後の各サブフィールドの発光データの一例を示す模式図であり、図６は、本実施の形態において各サブフィールドの発光データを再配置した後の図２４に示す表示画面における前景画像と背景画像との境界部分を示す図である。
【００８６】
ここで、第１のサブフィールド再生成部４は、動きベクトルに応じて各サブフィールドの発光データを再配置し、図５に示すように、Ｎフレームにおける各画素の各サブフィールドの再配置後の発光データが以下のように作成される。
【００８７】
すなわち、画素Ｐ−１７の第１〜第５サブフィールドＳＦ１〜ＳＦ５の発光データは、画素Ｐ−１２〜Ｐ−１６の第１〜第５サブフィールドＳＦ１〜ＳＦ５の発光データに変更され、画素Ｐ−１７の第６サブフィールドＳＦ６の発光データは、変更されない。なお、画素Ｐ−１６〜Ｐ−１４についても、画素Ｐ−１７と同様に発光データが変更される。
【００８８】
また、画素Ｐ−１３の第１及び第２サブフィールドＳＦ１及びＳＦ２の発光データは、画素Ｐ−９の第１及び第２サブフィールドＳＦ１及びＳＦ２の発光データに変更され、画素Ｐ−１３の第３〜第５サブフィールドＳＦ３〜ＳＦ５の発光データは、画素Ｐ−１０〜Ｐ−１２の第３〜第５サブフィールドＳＦ３〜ＳＦ５の発光データに変更され、画素Ｐ−１３の第６サブフィールドＳＦ６の発光データは、変更されない。
【００８９】
また、画素Ｐ−１２の第１〜第３サブフィールドＳＦ１〜ＳＦ３の発光データは、画素Ｐ−９の第１〜第３サブフィールドＳＦ１〜ＳＦ３の発光データに変更され、画素Ｐ−１２の第４及び第５サブフィールドＳＦ４及びＳＦ５の発光データは、画素Ｐ−１０及びＰ−１１の第４及び第５サブフィールドＳＦ４及びＳＦ５の発光データに変更され、画素Ｐ−１２の第６サブフィールドＳＦ６の発光データは、変更されない。
【００９０】
また、画素Ｐ−１１の第１〜第４サブフィールドＳＦ１〜ＳＦ４の発光データは、画素Ｐ−９の第１〜第４サブフィールドＳＦ１〜ＳＦ４の発光データに変更され、画素Ｐ−１１の第５サブフィールドＳＦ５の発光データは、画素Ｐ−１０の第５サブフィールドＳＦ５の発光データに変更され、画素Ｐ−１１の第６サブフィールドＳＦ６の発光データは、変更されない。
【００９１】
また、画素Ｐ−１０の第１〜第５サブフィールドＳＦ１〜ＳＦ５の発光データは、画素Ｐ−９の第１〜第５サブフィールドＳＦ１〜ＳＦ５の発光データに変更され、画素Ｐ−１０の第６サブフィールドＳＦ６の発光データは、変更されない。
【００９２】
さらに、画素Ｐ−９の第１〜第６サブフィールドＳＦ１〜ＳＦ６の発光データは、変更されない。
【００９３】
上記のサブフィールドの再配置処理により、画素Ｐ−９の第１〜第５サブフィールドＳＦ１〜ＳＦ５の発光データ、画素Ｐ−１０の第１〜第４サブフィールドＳＦ１〜ＳＦ４の発光データ、画素Ｐ−１１の第１〜第３サブフィールドＳＦ１〜ＳＦ３の発光データ、画素Ｐ−１２の第１〜第２サブフィールドＳＦ１〜ＳＦ２の発光データ、及び画素Ｐ−１３の第１サブフィールドＳＦ１の発光データは、車Ｃ１を構成する画素Ｐ−９に対応するサブフィールドの発光データとなる。
【００９４】
このように、第１のサブフィールド再生成部４により生成された再配置発光データが出力される領域と、検出部４１により検出された隣接領域との間の少なくとも一部の領域には、空間的に前方に位置する画素のサブフィールドの発光データが配置されている。
【００９５】
つまり、図５の三角形で示す領域Ｒ１内のサブフィールドは、木Ｔ１に属するサブフィールドの発光データが再配置されるのではなく、車Ｃ１に属するサブフィールドの発光データが再配置されることとなる。これにより、図６に示すように、車Ｃ１と木Ｔ１との境界が明確になり、動画ボヤケや動画擬似輪郭が抑制され、画質が向上する。
【００９６】
続いて、重なり検出部４２は、サブフィールド毎に前景画像と背景画像との重なりを検出する。具体的には、重なり検出部４２は、サブフィールドの再配置時において、サブフィールド毎の発光データが書き込まれた回数を計数し、書き込み回数が２回以上の場合、当該サブフィールドが前景画像と背景画像との重なり部分として検出される。
【００９７】
例えば、図２８のように、背景画像上を前景画像が通過する動画データのサブフィールドを再配置する場合、背景画像と前景画像とが重なる部分では、背景画像の発光データと前景画像の発光データとの２つの発光データが１つのサブフィールドに配置される。そのため、サブフィールド毎に発光データが書き込まれた回数を計数することにより、前景画像と背景画像とが重複しているか否かを検出することができる。
【００９８】
次に、奥行き情報作成部４３は、重なり検出部４２によって重なりが検出された場合、前景画像と背景画像とが重なる画素毎に、前景画像及び背景画像のいずれであるかを表す奥行き情報を算出する。具体的に、奥行き情報作成部４３は、２フレーム以上の同一画素の動きベクトルの値を比較し、動きベクトルの値が変化している場合、当該画素は前景画像であるとし、動きベクトルの値が変化していない場合、当該画素は背景画像であるとして奥行き情報を作成する。例えば、奥行き情報作成部４３は、ＮフレームとＮ−１フレームとの同一画素のベクトル値を比較する。
【００９９】
第１のサブフィールド再生成部４は、重なり検出部４２によって重なりが検出された場合、重なり部分の各サブフィールドの発光データを、奥行き情報作成部４３によって作成された奥行き情報で特定される前景画像を構成する画素のサブフィールドの発光データに変更する。
【０１００】
図７は、本実施の形態において図２９に示すサブフィールドを再配置した後の各サブフィールドの発光データの一例を示す模式図であり、図８は、本実施の形態において各サブフィールドの発光データを再配置した後の図２８に示す表示画面における前景画像と背景画像との境界部分を示す図である。
【０１０１】
ここで、第１のサブフィールド再生成部４は、動きベクトルに応じて各サブフィールドの発光データを再配置し、図７に示すように、Ｎフレームにおける各画素の各サブフィールドの再配置後の発光データが以下のように作成される。
【０１０２】
まず、第１のサブフィールド再生成部４は、第１〜第６サブフィールドＳＦ１〜ＳＦ６の配置順に従い、時間的に先行するサブフィールドが大きく移動するように、動きベクトルに対応する画素分だけ空間的に前方に位置する画素のサブフィールドの発光データを収集する。
【０１０３】
このとき、重なり検出部４２は、各サブフィールドの発光データの書き込み回数を計数する。画素Ｐ−１４の第１サブフィールドＳＦ１、画素Ｐ−１３の第１及び第２サブフィールドＳＦ１及びＳＦ２、画素Ｐ−１２の第１〜第３サブフィールドＳＦ１〜ＳＦ３、画素Ｐ−１１の第２〜第４サブフィールドＳＦ２〜ＳＦ４、及び画素Ｐ−１０の第３〜第５サブフィールドＳＦ３〜ＳＦ５は、書き込み回数が２回であるため、重なり検出部４２は、これらのサブフィールドを、前景画像と背景画像との重なり部分として検出する。
【０１０４】
次に、奥行き情報作成部４３は、再配置前のＮフレームとＮ−１フレームとの同一画素の動きベクトルの値を比較し、動きベクトルの値が変化している場合、当該画素は前景画像であるとし、動きベクトルの値が変化していない場合、当該画素は背景画像であるとして奥行き情報を作成する。例えば、図２９に示すＮフレーム画像では、画素Ｐ−０〜Ｐ−６が背景画像であり、画素Ｐ−７〜Ｐ−９が前景画像であり、画素Ｐ−１０〜Ｐ−１７が背景画像である。
【０１０５】
第１のサブフィールド再生成部４は、重なり検出部４２によって重なり部分であるとして検出されたサブフィールドの収集先のサブフィールドの画素に対応付けられている奥行き情報を参照し、奥行き情報が前景画像を表す情報であれば、収集先のサブフィールドの発光データを収集し、奥行き情報が背景画像を表す情報であれば、収集先のサブフィールドの発光データを収集しない。
【０１０６】
これにより、図７に示すように、画素Ｐ−１４の第１サブフィールドＳＦ１の発光データは、画素Ｐ−９の第１サブフィールドＳＦ１の発光データに変更され、画素Ｐ−１３の第１及び第２サブフィールドＳＦ１及びＳＦ２の発光データは、画素Ｐ−８の第１サブフィールドＳＦ１及び画素Ｐ−９の第２サブフィールドＳＦ２の発光データに変更され、画素Ｐ−１２の第１〜第３サブフィールドＳＦ１〜ＳＦ３の発光データは、画素Ｐ−７の第１サブフィールドＳＦ１、画素Ｐ−８の第２サブフィールドＳＦ２及び画素Ｐ−９の第３サブフィールドＳＦ３の発光データに変更され、画素Ｐ−１１の第２〜第４サブフィールドＳＦ２〜ＳＦ４の発光データは、画素Ｐ−７の第２サブフィールドＳＦ２、画素Ｐ−８の第３サブフィールドＳＦ３及び画素Ｐ−９の第４サブフィールドＳＦ４の発光データに変更され、画素Ｐ−１０の第３〜第５サブフィールドＳＦ３〜ＳＦ５の発光データは、画素Ｐ−７の第３サブフィールドＳＦ３、画素Ｐ−８の第４サブフィールドＳＦ４及び画素Ｐ−９の第５サブフィールドＳＦ５の発光データに変更される。
【０１０７】
上記のサブフィールドの再配置処理により、前景画像と背景画像との重なり部分において、前景画像のサブフィールドの発光データが優先的に収集されることとなる。つまり、図７の四角形で示す領域Ｒ２のサブフィールドは、前景画像に対応する発光データが再配置される。このように、前景画像と背景画像との重なり部分において、前景画像に対応する発光データが再配置された場合、図８に示すように、ボールＢ１の輝度が向上し、ボールＢ１と木Ｔ２との重複部分において動画ボヤケや動画擬似輪郭が抑制され、画質が向上する。
【０１０８】
なお、本実施の形態において、奥行き情報作成部４３は、少なくとも２フレーム以上の動きベクトルの大きさに基づいて、前景画像であるか、背景画像であるかを表す奥行き情報を画素毎に作成しているが、本発明は特にこれに限定されない。すなわち、入力部１に入力された入力画像に、前景画像であるか、背景画像であるかを表す奥行き情報が予め含まれている場合、奥行き情報を作成する必要はない。この場合、入力部１に入力された入力画像から、奥行き情報が抽出される。
【０１０９】
次に、前景画像が文字である場合のサブフィールドの再配置処理について説明する。図９は、再配置処理前の各サブフィールドの発光データの一例を示す模式図であり、図１０は、前景画像と背景画像との境界を越えて発光データを収集しない再配置処理後の各サブフィールドの発光データの一例を示す模式図であり、図１１は、第２のサブフィールド再生成部５による再配置処理後の各サブフィールドの発光データの一例を示す模式図である。
【０１１０】
図９において、画素Ｐ−０〜Ｐ−２，Ｐ−６，Ｐ−７は、背景画像を構成する画素であり、画素Ｐ−３〜Ｐ−５は、前景画像を構成する画素であり、かつ文字を構成する画素である。画素Ｐ−３〜Ｐ−５の動きベクトルの方向は、それぞれ左方向であり、画素Ｐ−３〜Ｐ−５の動きベクトルの値は、それぞれ“４”である。
【０１１１】
このとき、前景画像と背景画像との境界を検出し、境界を越えないように発光データを収集した場合、図１０に示すように、再配置処理後の各サブフィールドの発光データは、画素Ｐ−３〜Ｐ−５に再配置される。この場合、視聴者の視線方向がスムーズに移動しないため、動画ボヤケや動画擬似輪郭が発生する虞がある。
【０１１２】
そこで、本実施の形態では、前景画像が文字情報である場合、前景画像と背景画像との境界を越えることを許可し、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更する。
【０１１３】
すなわち、奥行き情報作成部４３は、公知の文字認識技術を用いて前景画像が文字であるかを認識し、文字であると認識した場合、前景画像が文字であることを表す情報を奥行き情報に付加する。
【０１１４】
第１のサブフィールド再生成部４は、奥行き情報作成部４３によって前景画像が文字であると識別された場合、再配置処理を行わず、サブフィールド変換部２によって複数のサブフィールドに変換された画像データ及び動きベクトル検出部３によって検出された動きベクトルを第２のサブフィールド再生成部５へ出力する。
【０１１５】
第２のサブフィールド再生成部５は、奥行き情報作成部４３によって文字であると認識された画素について、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更する。
【０１１６】
これにより、図１１に示すように、画素Ｐ−０の第１サブフィールドＳＦ１の発光データは、画素Ｐ−３の第１サブフィールドＳＦ１の発光データに変更され、画素Ｐ−１の第１及び第２サブフィールドＳＦ１及びＳＦ２の発光データは、画素Ｐ−４の第１サブフィールドＳＦ１及び画素Ｐ−３の第２サブフィールドＳＦ２の発光データに変更され、画素Ｐ−２の第１〜第３サブフィールドＳＦ１〜ＳＦ３の発光データは、画素Ｐ−５の第１サブフィールドＳＦ１、画素Ｐ−４の第２サブフィールドＳＦ２及び画素Ｐ−３の第３サブフィールドＳＦ３の発光データに変更され、画素Ｐ−３の第２及び第３サブフィールドＳＦ２及びＳＦ３の発光データは、画素Ｐ−５の第２サブフィールドＳＦ２及び画素Ｐ−４の第３サブフィールドＳＦ３の発光データに変更され、画素Ｐ−４の第３サブフィールドＳＦ３の発光データは、画素Ｐ−５の第３サブフィールドＳＦ３の発光データに変更される。
【０１１７】
上記のサブフィールドの再配置処理により、前景画像が文字である場合、前景画像を構成する画素に対応するサブフィールドの発光データが、時間的に先行するサブフィールドが大きく移動するように、動きベクトルに対応する画素分だけ空間的に後方に分配されるので、視線方向がスムーズに移動し、動画ボヤケや動画擬似輪郭が抑制され、画質が向上する。
【０１１８】
なお、第２のサブフィールド再生成部５は、入力画像において水平方向に移動する前景画像を構成する画素についてのみ、時間的に先行するサブフィールドが大きく移動するように、動きベクトル検出部３により検出された動きベクトルに対応する画素分だけ空間的に後方に移動した位置にある画素に対応するサブフィールドの発光データを、移動前の画素のサブフィールドの発光データに変更することが好ましい。
【０１１９】
画面上を文字が移動する、いわゆる文字スクロールの場合、文字は、垂直方向ではなく、水平方向へ移動する場合がほとんどである。そこで、第２のサブフィールド再生成部５は、入力画像において水平方向に移動する前景画像を構成する画素についてのみ、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更することにより、垂直方向のラインメモリの数を削減することができ、第２のサブフィールド再生成部５によって用いられるメモリを小さくすることができる。
【０１２０】
また、本実施の形態において、奥行き情報作成部４３は、公知の文字認識技術を用いて前景画像が文字であるかを認識し、文字であると認識した場合、前景画像が文字であることを表す情報を奥行き情報に付加しているが、本発明は特にこれに限定されない。すなわち、入力部１に入力された入力画像に、予め前景画像が文字であることを表す情報が含まれている場合、前景画像が文字であるかを認識する必要はない。
【０１２１】
この場合、入力部１に入力された入力画像から、前景画像が文字であることを表す情報が抽出される。そして、第２のサブフィールド再生成部５は、入力部１に入力された入力画像に含まれる、前景画像が文字であることを表す情報に基づいて、文字である画素を特定し、特定した画素について、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更する。
【０１２２】
次に、境界付近におけるサブフィールドの再配置処理の別の例について説明する。図１２は、前景画像の背後を背景画像が通過する様子を表す表示画面の一例を示す図であり、図１３は、図１２に示す前景画像と背景画像との境界部分における、各サブフィールドの発光データを再配置する前の各サブフィールドの発光データの一例を示す模式図であり、図１４は、従来の再配置方法により各サブフィールドの発光データを再配置した後の各サブフィールドの発光データの一例を示す模式図であり、図１５は、本実施の形態の再配置方法により各サブフィールドの発光データを再配置した後の各サブフィールドの発光データの一例を示す模式図である。
【０１２３】
図１２に示す表示画面Ｄ６では、中央に配置された前景画像Ｉ１は静止しており、背景画像Ｉ２は、前景画像Ｉ１の背後を通って、左方向へ移動している。なお、図１２〜図１５において、前景画像Ｉ１の各画素の動きベクトルの値は“０”であり、背景画像Ｉ２の各画素の動きベクトルの値は“４”である。
【０１２４】
図１３に示すように、サブフィールドの再配置処理前において、前景画像Ｉ１は、画素Ｐ−３〜Ｐ−５で構成され、背景画像Ｉ２は、画素Ｐ−０〜Ｐ−２，Ｐ−６，Ｐ−７で構成される。
【０１２５】
従来の再配置方法により図１３に示す各サブフィールドの発光データを再配置した場合、図１４に示すように、画素Ｐ−０〜Ｐ−２の第１サブフィールドＳＦ１の発光データは、それぞれ画素Ｐ−３〜Ｐ−５の第１サブフィールドＳＦ１の発光データに変更され、画素Ｐ−１及びＰ−２の第２サブフィールドＳＦ２の発光データは、それぞれ画素Ｐ−３及びＰ−４の第２サブフィールドＳＦ２の発光データに変更され、画素Ｐ−２の第３サブフィールドＳＦ３の発光データは、画素Ｐ−３の第３サブフィールドＳＦ３の発光データに変更される。
【０１２６】
この場合、前景画像Ｉ１を構成する一部の画素のサブフィールドの発光データが背景画像Ｉ２側へ移動するため、表示画面Ｄ６の前景画像Ｉ１と背景画像Ｉ２との境界において、前景画像Ｉ１が背景画像Ｉ２側へはみ出して表示され、動画ボヤケや動画擬似輪郭が発生し、画質が劣化する。
【０１２７】
一方、本実施の形態の再配置方法により図１３に示す各サブフィールドの発光データを再配置した場合、図１５に示すように、前景画像Ｉ１を構成する画素Ｐ−３〜Ｐ−５の各サブフィールドの発光データは移動することなく、画素Ｐ−０及びＰ−１の第１サブフィールドＳＦ１の発光データは、それぞれ画素Ｐ−２の第１サブフィールドＳＦ１の発光データに変更され、画素Ｐ−１の第２サブフィールドＳＦ２の発光データは、画素Ｐ−２の第２サブフィールドＳＦ２の発光データに変更され、画素Ｐ−２の第１〜第４サブフィールドＳＦ１〜ＳＦ４の発光データは、変更されない。
【０１２８】
このように、本実施の形態では、前景画像Ｉ１と背景画像Ｉ２との境界が明確になり、動きベクトルが大きく変化する境界部分において再配置処理した場合に生じる動画ボヤケや動画擬似輪郭をより確実に抑制することができる。
【０１２９】
続いて、境界付近におけるサブフィールドの再配置処理のさらに別の例について説明する。図１６は、互いに対向する方向へ移動する第１の画像と第２の画像とが画面中央付近で互いの背後に入り込む様子を表す表示画面の一例を示す図であり、図１７は、図１６に示す第１の画像と第２の画像との境界部分における、各サブフィールドの発光データを再配置する前の各サブフィールドの発光データの一例を示す模式図であり、図１８は、従来の再配置方法により各サブフィールドの発光データを再配置した後の各サブフィールドの発光データの一例を示す模式図であり、図１９は、本実施の形態の再配置方法により各サブフィールドの発光データを再配置した後の各サブフィールドの発光データの一例を示す模式図である。
【０１３０】
図１６に示す表示画面Ｄ７では、右方向へ移動している第１の画像Ｉ３と、左方向へ移動している第２の画像Ｉ４とが画面中央付近で互いの背後に入り込んでいる。なお、図１６〜図１９において、第１の画像Ｉ３の各画素の動きベクトルの値は“４”であり、第２の画像Ｉ４の各画素の動きベクトルの値は“４”である。
【０１３１】
図１７に示すように、サブフィールドの再配置処理前において、第１の画像Ｉ３は、画素Ｐ−４〜Ｐ−７で構成され、第２の画像Ｉ４は、画素Ｐ−０〜Ｐ−３で構成される。
【０１３２】
従来の再配置方法により図１７に示す各サブフィールドの発光データを再配置した場合、図１８に示すように、画素Ｐ−１〜Ｐ−３の第１サブフィールドＳＦ１の発光データは、それぞれ画素Ｐ−４〜Ｐ−６の第１サブフィールドＳＦ１の発光データに変更され、画素Ｐ−２及びＰ−３の第２サブフィールドＳＦ２の発光データは、それぞれ画素Ｐ−４及びＰ−５の第２サブフィールドＳＦ２の発光データに変更され、画素Ｐ−３の第３サブフィールドＳＦ３の発光データは、画素Ｐ−４の第３サブフィールドＳＦ３の発光データに変更される。
【０１３３】
さらに、画素Ｐ−４〜Ｐ−６の第１サブフィールドＳＦ１の発光データは、それぞれ画素Ｐ−１〜Ｐ−３の第１サブフィールドＳＦ１の発光データに変更され、画素Ｐ−４及びＰ−６の第２サブフィールドＳＦ２の発光データは、それぞれ画素Ｐ−２及びＰ−３の第２サブフィールドＳＦ２の発光データに変更され、画素Ｐ−４の第３サブフィールドＳＦ３の発光データは、画素Ｐ−３の第３サブフィールドＳＦ３の発光データに変更される。
【０１３４】
この場合、第１の画像Ｉ３を構成する一部の画素のサブフィールドの発光データが第２の画像Ｉ４側へ移動するとともに、第２の画像Ｉ４を構成する一部の画素のサブフィールドの発光データが第１の画像Ｉ３側へ移動するため、表示画面Ｄ７の第１の画像Ｉ３と第２の画像Ｉ４との境界から、第１の画像Ｉ３及び第２の画像Ｉ４が互いにはみ出して表示され、動画ボヤケや動画擬似輪郭が発生し、画質が劣化する。
【０１３５】
一方、本実施の形態の再配置方法により図１７に示す各サブフィールドの発光データを再配置した場合、図１９に示すように、画素Ｐ−１及びＰ−２の第１サブフィールドＳＦ１の発光データは、それぞれ画素Ｐ−３の第１サブフィールドＳＦ１の発光データに変更され、画素Ｐ−２の第２サブフィールドＳＦ２の発光データは、画素Ｐ−３の第２サブフィールドＳＦ２の発光データに変更され、画素Ｐ−３の第１〜第４サブフィールドＳＦ１〜ＳＦ４の発光データは、変更されない。
【０１３６】
また、画素Ｐ−５及びＰ−６の第１サブフィールドＳＦ１の発光データは、それぞれ画素Ｐ−４の第１サブフィールドＳＦ１の発光データに変更され、画素Ｐ−５の第２サブフィールドＳＦ２の発光データは、画素Ｐ−４の第２サブフィールドＳＦ２の発光データに変更され、画素Ｐ−４の第１〜第４サブフィールドＳＦ１〜ＳＦ４の発光データは、変更されない。
【０１３７】
このように、本実施の形態では、第１の画像Ｉ３と第２の画像Ｉ４との境界が明確になり、動きベクトルの方向が不連続である境界部分において再配置処理した場合に生じる動画ボヤケや動画擬似輪郭をより確実に抑制することができる。
【０１３８】
次に、本発明の他の実施形態による映像表示装置について説明する。
【０１３９】
図２０は、本発明の他の実施形態による映像表示装置の構成を示すブロック図である。図２０に示す映像表示装置は、入力部１、サブフィールド変換部２、動きベクトル検出部３、第１のサブフィールド再生成部４、第２のサブフィールド再生成部５、画像表示部６及び平滑化処理部７を備える。また、サブフィールド変換部２、動きベクトル検出部３、第１のサブフィールド再生成部４、第２のサブフィールド再生成部５及び平滑化処理部７により、１フィールドを複数のサブフィールドに分割し、発光する発光サブフィールド及び発光しない非発光サブフィールドを組み合わせて階調表示を行うために入力画像を処理する映像処理装置が構成されている。
【０１４０】
なお、図２０に示す映像表示装置において、図１に示す映像表示装置と同じ構成については同じ符号を付し、説明を省略する。
【０１４１】
平滑化処理部７は、例えばローパスフィルタで構成され、動きベクトル検出部３によって検出された動きベクトルの値に対し、前景画像と背景画像との境界部分において値が滑らかになるように平滑化する。例えば、移動方向に沿って、連続した画素の動きベクトルの値が、“６６６６６６００００００”と変化している表示画面を再配置する場合、平滑化処理部７は、“６５４３２１００００００”となるように動きベクトルの値を平滑化する。
【０１４２】
このように、平滑化処理部７は、静止している前景画像と、移動している背景画像との境界において、背景画像の動きベクトルの値を滑らかに連続するように平滑化する。そして、第１のサブフィールド再生成部４は、平滑化処理部７により平滑化された動きベクトルに応じて、サブフィールド変換部２により変換された各サブフィールドの発光データをフレームＮの画素毎に空間的に再配置することにより、フレームＮの画素毎に各サブフィールドの再配置発光データを生成する。
【０１４３】
これにより、静止している前景画像と、移動している背景画像との境界において、前景画像と背景画像とが連続的になり、不自然さが無くなるので、より高い精度でサブフィールドを再配置することができる。
【０１４４】
なお、上述した具体的実施形態には以下の構成を有する発明が主に含まれている。
【０１４５】
本発明の一局面に係る映像処理装置は、１フィールド又は１フレームを複数のサブフィールドに分割し、発光する発光サブフィールド及び発光しない非発光サブフィールドを組み合わせて階調表示を行うために入力画像を処理する映像処理装置であって、前記入力画像を各サブフィールドの発光データに変換するサブフィールド変換部と、時間的に前後する少なくとも２つ以上の入力画像を用いて動きベクトルを検出する動きベクトル検出部と、前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、前記入力画像における、第１の画像と、前記第１の画像に接する第２の画像との隣接領域を検出する検出部とを備え、前記第１の再生成部は、前記境界検出部によって検出された前記隣接領域を越えて、前記発光データを収集しない。
【０１４６】
この映像処理装置においては、入力画像が各サブフィールドの発光データに変換され、時間的に前後する少なくとも２つ以上の入力画像を用いて動きベクトルが検出される。そして、動きベクトルに対応する画素分だけ空間的に前方に位置する画素のサブフィールドの発光データを収集することにより、各サブフィールドの発光データが空間的に再配置され、各サブフィールドの再配置発光データが生成される。このとき、入力画像における、第１の画像と、第１の画像に接する第２の画像との隣接領域が検出され、検出された隣接領域を越えて、発光データが収集されない。
【０１４７】
したがって、動きベクトルに対応する画素分だけ空間的に前方に位置する画素のサブフィールドの発光データを収集する際に、入力画像における、第１の画像と、第１の画像に接する第２の画像との隣接領域を越えて発光データが収集されないので、前景画像と背景画像との境界付近で発生する動画ボヤケや動画擬似輪郭をより確実に抑制することができる。
【０１４８】
本発明の他の局面に係る映像処理装置は、１フィールド又は１フレームを複数のサブフィールドに分割し、発光する発光サブフィールド及び発光しない非発光サブフィールドを組み合わせて階調表示を行うために入力画像を処理する映像処理装置であって、前記入力画像を各サブフィールドの発光データに変換するサブフィールド変換部と、時間的に前後する少なくとも２つ以上の入力画像を用いて動きベクトルを検出する動きベクトル検出部と、前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、前記入力画像における、第１の画像と、前記第１の画像に接する第２の画像との隣接領域を検出する検出部とを備え、前記第１の再生成部は、複数の直線上にあるサブフィールドの発光データを収集する。
【０１４９】
この映像処理装置においては、入力画像が各サブフィールドの発光データに変換され、時間的に前後する少なくとも２つ以上の入力画像を用いて動きベクトルが検出される。そして、動きベクトルに対応する画素分だけ空間的に前方に位置する画素のサブフィールドの発光データを収集することにより、各サブフィールドの発光データが空間的に再配置され、各サブフィールドの再配置発光データが生成される。このとき、入力画像における、第１の画像と、第１の画像に接する第２の画像との隣接領域が検出され、複数の直線上にあるサブフィールドの発光データが収集される。
【０１５０】
したがって、動きベクトルに対応する画素分だけ空間的に前方に位置する画素のサブフィールドの発光データを収集する際に、複数の直線上にあるサブフィールドの発光データが収集されるので、前景画像と背景画像との境界付近で発生する動画ボヤケや動画擬似輪郭をより確実に抑制することができる。
【０１５１】
本発明の他の局面に係る映像処理装置は、１フィールド又は１フレームを複数のサブフィールドに分割し、発光する発光サブフィールド及び発光しない非発光サブフィールドを組み合わせて階調表示を行うために入力画像を処理する映像処理装置であって、前記入力画像を各サブフィールドの発光データに変換するサブフィールド変換部と、時間的に前後する少なくとも２つ以上の入力画像を用いて動きベクトルを検出する動きベクトル検出部と、前記動きベクトル検出部により検出された動きベクトルに対応して、空間的に前方に位置する画素のサブフィールドについて、前記サブフィールド変換部により変換された、各サブフィールドの発光データを空間的に再配置し、各サブフィールドの再配置発光データを生成する第１の再生成部と、前記入力画像における、第１の画像と、前記第１の画像に接する第２の画像との隣接領域を検出する検出部とを備え、前記第１の再生成部により生成された再配置発光データが出力される領域と、前記検出部により検出された隣接領域との間の少なくとも一部の領域には、前記空間的に前方に位置する画素のサブフィールドの発光データが配置されている。
【０１５２】
この映像処理装置においては、入力画像が各サブフィールドの発光データに変換され、時間的に前後する少なくとも２つ以上の入力画像を用いて動きベクトルが検出される。そして、動きベクトルに対応して、空間的に前方に位置する画素のサブフィールドについて、各サブフィールドの発光データが空間的に再配置され、各サブフィールドの再配置発光データが生成される。このとき、入力画像における、第１の画像と、第１の画像に接する第２の画像との隣接領域が検出され、生成された再配置発光データが出力される領域と、検出された隣接領域との間の少なくとも一部の領域には、空間的に前方に位置する画素のサブフィールドの発光データが配置されている。
【０１５３】
したがって、生成された再配置発光データが出力される領域と、入力画像における、第１の画像と、第１の画像に接する第２の画像との隣接領域との間の少なくとも一部の領域には、空間的に前方に位置する画素のサブフィールドの発光データが配置されているので、前景画像と背景画像との境界付近で発生する動画ボヤケや動画擬似輪郭をより確実に抑制することができる。
【０１５４】
また、上記の映像処理装置において、前記第１の再生成部は、前記発光データを収集しなかったサブフィールドについて、前記隣接領域の画素のサブフィールドの前記発光データを収集することが好ましい。
【０１５５】
この構成によれば、発光データが収集されなかったサブフィールドについて、隣接領域の画素のサブフィールドの発光データが収集されるので、前景画像と背景画像との境界をより明確に表示することができ、境界付近で発生する動画ボヤケや動画擬似輪郭をより確実に抑制することができる。
【０１５６】
また、上記の映像処理装置において、前記第１の画像は、前景を表す前景画像を含み、前記第２の画像は、背景を表す背景画像を含み、前記前景画像と前記背景画像とが重なる画素毎に、前記前景画像及び前記背景画像のいずれであるかを表す奥行き情報を作成する奥行き情報作成部とをさらに備え、前記第１の再生成部は、前記奥行き情報作成部によって作成された前記奥行き情報で特定される前記前景画像を構成する画素のサブフィールドの発光データを収集することが好ましい。
【０１５７】
この構成によれば、前景画像と背景画像とが重なる画素毎に、前景画像及び背景画像のいずれであるかを表す奥行き情報が作成される。そして、奥行き情報で特定される前景画像を構成する画素のサブフィールドの発光データが収集される。
【０１５８】
したがって、前景画像と背景画像とが重なる場合、前景画像を構成する画素のサブフィールドの発光データが収集されるので、前景画像と背景画像との重なり部分で発生する動画ボヤケや動画擬似輪郭をより確実に抑制することができる。
【０１５９】
また、上記の映像処理装置において、前記第１の画像は、前景を表す前景画像を含み、前記第２の画像は、背景を表す背景画像を含み、前記前景画像と前記背景画像とが重なる画素毎に、前記前景画像及び前記背景画像のいずれであるかを表す奥行き情報を作成する奥行き情報作成部と、前記奥行き情報作成部によって作成された前記奥行き情報で特定される前記前景画像を構成する画素について、前記動きベクトル検出部により検出された動きベクトルに対応する画素分だけ空間的に後方に移動した位置にある画素に対応するサブフィールドの発光データを、移動前の画素のサブフィールドの発光データに変更することにより、前記サブフィールド変換部により変換された各サブフィールドの発光データを空間的に再配置し、各サブフィールドの再配置発光データを生成する第２の再生成部とをさらに備えることが好ましい。
【０１６０】
この構成によれば、前景画像と背景画像とが重なる画素毎に、前景画像及び背景画像のいずれであるかを表す奥行き情報が作成される。そして、奥行き情報で特定される前景画像を構成する画素について、動きベクトルに対応する画素分だけ空間的に後方に移動した位置にある画素に対応するサブフィールドの発光データを、移動前の画素のサブフィールドの発光データに変更することにより、各サブフィールドの発光データが空間的に再配置され、各サブフィールドの再配置発光データが生成される。
【０１６１】
したがって、前景画像と背景画像とが重なる場合、前景画像を構成する画素について、動きベクトルに対応する画素分だけ空間的に後方に移動した位置にある画素に対応するサブフィールドの発光データが、移動前の画素のサブフィールドの発光データに変更されるので、前景画像の移動に応じて視聴者の視線方向がスムーズに移動することとなり、前景画像と背景画像との重なり部分で発生する動画ボヤケや動画擬似輪郭を抑制することができる。
【０１６２】
また、上記の映像処理装置において、前記前景画像は、文字であることが好ましい。この構成によれば、文字と背景画像とが重なる場合、文字を構成する画素について、動きベクトルに対応する画素分だけ空間的に後方に移動した位置にある画素に対応するサブフィールドの発光データが、移動前の画素のサブフィールドの発光データに変更されるので、文字の移動に応じて視聴者の視線方向がスムーズに移動することとなり、文字と背景画像との重なり部分で発生する動画ボヤケや動画擬似輪郭を抑制することができる。
【０１６３】
また、上記の映像処理装置において、前記第２の再生成部は、前記入力画像において水平方向に移動する前記前景画像を構成する画素についてのみ、前記動きベクトル検出部により検出された動きベクトルに対応する画素分だけ空間的に後方に移動した位置にある画素に対応するサブフィールドの発光データを、移動前の画素のサブフィールドの発光データに変更することが好ましい。
【０１６４】
この構成によれば、入力画像において水平方向に移動する前景画像を構成する画素についてのみ、動きベクトルに対応する画素分だけ空間的に後方に移動した位置にある画素に対応するサブフィールドの発光データが、移動前の画素のサブフィールドの発光データに変更されるので、垂直方向のラインメモリの数を削減することができ、第２の再生成部によって用いられるメモリを小さくすることができる。
【０１６５】
また、上記の映像処理装置において、前記奥行き情報作成部は、少なくとも２フレーム以上の動きベクトルの大きさに基づいて、前記奥行き情報を作成することが好ましい。この構成によれば、少なくとも２フレーム以上の動きベクトルの大きさに基づいて、奥行き情報を作成することができる。
【０１６６】
本発明の他の局面に係る映像表示装置は、上記のいずれかに記載の映像処理装置と、前記映像処理装置から出力される補正後の再配置発光データを用いて映像を表示する表示部とを備える。
【０１６７】
この映像表示装置においては、動きベクトルに対応する画素分だけ空間的に前方に位置する画素のサブフィールドの発光データを収集する際に、入力画像における、第１の画像と、第１の画像に接する第２の画像との隣接領域を越えて発光データが収集されないので、前景画像と背景画像との境界付近で発生する動画ボヤケや動画擬似輪郭をより確実に抑制することができる。
【０１６８】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０１６９】
本発明に係る映像処理装置は、動画ボヤケや動画擬似輪郭をより確実に抑制することができるので、１フィールド又は１フレームを複数のサブフィールドに分割し、発光する発光サブフィールド及び発光しない非発光サブフィールドを組み合わせて階調表示を行うために入力画像を処理する映像処理装置等として有用である。
【図１】
2010073562.tif 000003
【図２】
2010073562.tif 000004
【図３】
2010073562.tif 000005
【図４】
2010073562.tif 000006
【図５】
2010073562.tif 000007
【図６】
2010073562.tif 000008
【図７】
2010073562.tif 000009
【図８】
2010073562.tif 000010
【図９】
2010073562.tif 000011
【図１０】
2010073562.tif 000012
【図１１】
2010073562.tif 000013
【図１２】
2010073562.tif 000014
【図１３】
2010073562.tif 000015
【図１４】
2010073562.tif 000016
【図１５】
2010073562.tif 000017
【図１６】
2010073562.tif 000018
【図１７】
2010073562.tif 000019
【図１８】
2010073562.tif 000020
【図１９】
2010073562.tif 000021
【図２０】
2010073562.tif 000022
【図２１】
2010073562.tif 000023
【図２２】
2010073562.tif 000024
【図２３】
2010073562.tif 000025
【図２４】
2010073562.tif 000026
【図２５】
2010073562.tif 000027
【図２６】
2010073562.tif 000028
【図２７】
2010073562.tif 000029
【図２８】
2010073562.tif 000030
【図２９】
2010073562.tif 000031
【図３０】
2010073562.tif 000032
【図３１】
2010073562.tif 000033
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
１フィールド又は１フレームを複数のサブフィールドに分割し、発光する発光サブフィールド及び発光しない非発光サブフィールドを組み合わせて階調表示を行うために入力画像を処理する映像処理装置であって、
前記入力画像を各サブフィールドの発光データに変換するサブフィールド変換部と、
時間的に前後する少なくとも２つ以上の入力画像を用いて動きベクトルを検出する動きベクトル検出部と、
前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、
前記入力画像における、第１の画像と、前記第１の画像に接する第２の画像との隣接領域を検出する検出部とを備え、
前記第１の再生成部は、前記検出部によって検出された前記隣接領域を越えて、前記発光データを収集しないことを特徴とする映像処理装置。
【請求項２】
１フィールド又は１フレームを複数のサブフィールドに分割し、発光する発光サブフィールド及び発光しない非発光サブフィールドを組み合わせて階調表示を行うために入力画像を処理する映像処理装置であって、
前記入力画像を各サブフィールドの発光データに変換するサブフィールド変換部と、
時間的に前後する少なくとも２つ以上の入力画像を用いて動きベクトルを検出する動きベクトル検出部と、
前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、
前記入力画像における、第１の画像と、前記第１の画像に接する第２の画像との隣接領域を検出する検出部とを備え、
前記第１の再生成部は、複数の直線上にあるサブフィールドの発光データを収集することを特徴とする映像処理装置。
【請求項３】
１フィールド又は１フレームを複数のサブフィールドに分割し、発光する発光サブフィールド及び発光しない非発光サブフィールドを組み合わせて階調表示を行うために入力画像を処理する映像処理装置であって、
前記入力画像を各サブフィールドの発光データに変換するサブフィールド変換部と、
時間的に前後する少なくとも２つ以上の入力画像を用いて動きベクトルを検出する動きベクトル検出部と、
前記動きベクトル検出部により検出された動きベクトルに対応して、空間的に前方に位置する画素のサブフィールドについて、前記サブフィールド変換部により変換された、各サブフィールドの発光データを空間的に再配置し、各サブフィールドの再配置発光データを生成する第１の再生成部と、
前記入力画像における、第１の画像と、前記第１の画像に接する第２の画像との隣接領域を検出する検出部とを備え、
前記第１の再生成部により生成された再配置発光データが出力される領域と、前記検出部により検出された隣接領域との間の少なくとも一部の領域には、前記空間的に前方に位置する画素のサブフィールドの発光データが配置されていることを特徴とする映像処理装置。
【請求項４】
前記第１の再生成部は、前記発光データを収集しなかったサブフィールドについて、前記隣接領域の画素のサブフィールドの前記発光データを収集することを特徴とする請求項１〜３のいずれかに記載の映像処理装置。
【請求項５】
前記第１の画像は、前景を表す前景画像を含み、
前記第２の画像は、背景を表す背景画像を含み、
前記前景画像と前記背景画像とが重なる画素毎に、前記前景画像及び前記背景画像のいずれであるかを表す奥行き情報を作成する奥行き情報作成部とをさらに備え、
前記第１の再生成部は、前記奥行き情報作成部によって作成された前記奥行き情報で特定される前記前景画像を構成する画素のサブフィールドの発光データを収集することを特徴とする請求項１〜４のいずれかに記載の映像処理装置。
【請求項６】
前記第１の画像は、前景を表す前景画像を含み、
前記第２の画像は、背景を表す背景画像を含み、
前記前景画像と前記背景画像とが重なる画素毎に、前記前景画像及び前記背景画像のいずれであるかを表す奥行き情報を作成する奥行き情報作成部と、
前記奥行き情報作成部によって作成された前記奥行き情報で特定される前記前景画像を構成する画素について、前記動きベクトル検出部により検出された動きベクトルに対応する画素分だけ空間的に後方に移動した位置にある画素に対応するサブフィールドの発光データを、移動前の画素のサブフィールドの発光データに変更することにより、前記サブフィールド変換部により変換された各サブフィールドの発光データを空間的に再配置し、各サブフィールドの再配置発光データを生成する第２の再生成部とをさらに備えることを特徴とする請求項１〜５のいずれかに記載の映像処理装置。
【請求項７】
前記前景画像は、文字であることを特徴とする請求項６記載の映像処理装置。
【請求項８】
前記第２の再生成部は、前記入力画像において水平方向に移動する前記前景画像を構成する画素についてのみ、前記動きベクトル検出部により検出された動きベクトルに対応する画素分だけ空間的に後方に移動した位置にある画素に対応するサブフィールドの発光データを、移動前の画素のサブフィールドの発光データに変更することを特徴とする請求項６又は７記載の映像処理装置。
【請求項９】
前記奥行き情報作成部は、少なくとも２フレーム以上の動きベクトルの大きさに基づいて、前記奥行き情報を作成することを特徴とする請求項５〜８のいずれかに記載の映像処理装置。
【請求項１０】
請求項１〜９のいずれかに記載の映像処理装置と、
前記映像処理装置から出力される補正後の再配置発光データを用いて映像を表示する表示部とを備えることを特徴とする映像表示装置。
【手続補正２】
【補正対象書類名】明細書
【補正対象項目名】全文
【補正方法】変更
【補正の内容】
【発明の詳細な説明】
【技術分野】
【０００１】
本発明は、１フィールド又は１フレームを複数のサブフィールドに分割し、発光する発光サブフィールド及び発光しない非発光サブフィールドを組み合わせて階調表示を行うために入力画像を処理する映像処理装置及び該装置を用いた映像表示装置に関するものである。
【背景技術】
【０００２】
プラズマディスプレイ装置は、薄型化及び大画面化が可能であるという利点を有し、このようなプラズマディスプレイ装置に用いられるＡＣ型プラズマディスプレイパネルとしては、走査電極及び維持電極を複数配列して形成したガラス基板からなる前面板と、データ電極を複数配列した背面板とを、走査電極及び維持電極とデータ電極とが直交するように組み合わせてマトリックス状に放電セルを形成し、任意の放電セルを選択してプラズマ発光させることにより、映像が表示される。
【０００３】
上記のように映像を表示させる際、１つのフィールドを輝度の重みの異なる複数の画面（以下、これらをサブフィールド（ＳＦ）と呼ぶ）に時間方向に分割し、各サブフィールドにおける放電セルの発光又は非発光を制御することにより、１フィールドの画像すなわち１フレーム画像を表示する。
【０００４】
上記のサブフィールド分割を用いた映像表示装置では、動画像を表示するときに、動画擬似輪郭と呼ばれる階調の乱れや動画ボヤケが発生し、表示品位を損ねるという問題がある。この動画擬似輪郭の発生を低減するために、例えば、特許文献１には、動画像に含まれる複数のフィールドのうち一のフィールドの画素を始点とし他の一のフィールドの画素を終点とする動きベクトルを検出するとともに、動画像をサブフィールドの発光データに変換し、動きベクトルを用いた処理によりサブフィールドの発光データを再構成する画像表示装置が開示されている。
【０００５】
この従来の画像表示装置では、動きベクトルのうち他の一のフィールドの再構成対象画素を終点とする動きベクトルを選択し、これに所定の関数を乗じて位置ベクトルを算出し、再構成対象画素の一のサブフィールドの発光データを位置ベクトルが示す画素のサブフィールドの発光データを用いて再構成することにより、動画ボヤケや動画擬似輪郭の発生を抑制している。
【０００６】
上記のように、従来の画像表示装置では、動画像を各サブフィールドの発光データに変換し、動きベクトルに応じて各サブフィールドの発光データを再配置しており、この各サブフィールドの発光データの再配置方法について、以下に具体的に説明する。
【０００７】
図２１は、表示画面の遷移状態の一例を示す模式図であり、図２２は、図２１に示す表示画面を表示するときの各サブフィールドの発光データを再配置する前の各サブフィールドの発光データを説明するための模式図であり、図２３は、図２１に示す表示画面を表示するときの各サブフィールドの発光データを再配置した後の各サブフィールドの発光データを説明するための模式図である。
【０００８】
図２１に示すように、連続するフレーム画像として、Ｎ−２フレーム画像Ｄ１、Ｎ−１フレーム画像Ｄ２、Ｎフレーム画像Ｄ３が順に表示され、背景として全画面黒（例えば、輝度レベル０）状態が表示されるとともに、前景として白丸（例えば、輝度レベル２５５）の移動体ＯＪが表示画面の左から右へ移動する場合を例に考える。
【０００９】
まず、上記の従来の画像表示装置は、動画像を各サブフィールドの発光データに変換し、図２２に示すように、各フレームに対して各画素の各サブフィールドの発光データが以下のように作成される。
【００１０】
ここで、Ｎ−２フレーム画像Ｄ１を表示する場合、１フィールドが５個のサブフィールドＳＦ１〜ＳＦ５から構成されるとすると、まず、Ｎ−２フレームにおいて、移動体ＯＪに対応する画素Ｐ−１０のすべてのサブフィールドＳＦ１〜ＳＦ５の発光データが発光状態（図中のハッチングされたサブフィールド）になり、他の画素のサブフィールドＳＦ１〜ＳＦ５の発光データが非発光状態（図示省略）になる。次に、Ｎ−１フレームにおいて、移動体ＯＪが５画素分だけ水平に移動した場合、移動体ＯＪに対応する画素Ｐ−５のすべてのサブフィールドＳＦ１〜ＳＦ５の発光データが発光状態になり、他の画素のサブフィールドＳＦ１〜ＳＦ５の発光データが非発光状態になる。次に、Ｎフレームにおいて、移動体ＯＪがさらに５画素分だけ水平に移動した場合、移動体ＯＪに対応する画素Ｐ−０のすべてのサブフィールドＳＦ１〜ＳＦ５の発光データが発光状態になり、他の画素のサブフィールドＳＦ１〜ＳＦ５の発光データが非発光状態になる。
【００１１】
次に、上記の従来の画像表示装置は、動きベクトルに応じて各サブフィールドの発光データを再配置し、図２３に示すように、各フレームに対して各画素の各サブフィールドの再配置後の発光データが以下のように作成される。
【００１２】
まず、Ｎ−２フレームとＮ−１フレームとから動きベクトルＶ１として、５画素分の水平方向の移動量が検出された場合、Ｎ−１フレームにおいて、画素Ｐ−５の第１サブフィールドＳＦ１の発光データ（発光状態）は、４画素分だけ左方向へ移動され、画素Ｐ−９の第１サブフィールドＳＦ１の発光データが非発光状態から発光状態（図中のハッチングされたサブフィールド）に変更され、画素Ｐ−５の第１サブフィールドＳＦ１の発光データが発光状態から非発光状態（図中の破線白抜きのサブフィールド）に変更される。
【００１３】
また、画素Ｐ−５の第２サブフィールドＳＦ２の発光データ（発光状態）は、３画素分だけ左方向へ移動され、画素Ｐ−８の第２サブフィールドＳＦ２の発光データが非発光状態から発光状態に変更され、画素Ｐ−５の第２サブフィールドＳＦ２の発光データが発光状態から非発光状態に変更される。
【００１４】
また、画素Ｐ−５の第３サブフィールドＳＦ３の発光データ（発光状態）は、２画素分だけ左方向へ移動され、画素Ｐ−７の第３サブフィールドＳＦ３の発光データが非発光状態から発光状態に変更され、画素Ｐ−５の第３サブフィールドＳＦ３の発光データが発光状態から非発光状態に変更される。
【００１５】
また、画素Ｐ−５の第４サブフィールドＳＦ４の発光データ（発光状態）は、１画素分だけ左方向へ移動され、画素Ｐ−６の第４サブフィールドＳＦ４の発光データが非発光状態から発光状態に変更され、画素Ｐ−５の第４サブフィールドＳＦ４の発光データが発光状態から非発光状態に変更される。また、画素Ｐ−５の第５サブフィールドＳＦ５の発光データは、変更されない。
【００１６】
同様に、Ｎ−１フレームとＮフレームとから動きベクトルＶ２として、５画素分の水平方向の移動量が検出された場合、画素Ｐ−０の第１〜第４サブフィールドＳＦ１〜ＳＦ４の発光データ（発光状態）が４〜１画素分だけ左方向へ移動され、画素Ｐ−４の第１サブフィールドＳＦ１の発光データが非発光状態から発光状態に変更され、画素Ｐ−３の第２サブフィールドＳＦ２の発光データが非発光状態から発光状態に変更され、画素Ｐ−２の第３サブフィールドＳＦ３の発光データが非発光状態から発光状態に変更され、画素Ｐ−１の第４サブフィールドＳＦ４の発光データが非発光状態から発光状態に変更され、画素Ｐ−０の第１〜第４サブフィールドＳＦ１〜ＳＦ４の発光データが発光状態から非発光状態に変更され、第５サブフィールドＳＦ５の発光データは、変更されない。
【００１７】
上記のサブフィールドの再配置処理により、Ｎ−２フレームからＮフレームへ遷移する表示画像を視聴者が見た場合、視線方向が矢印ＡＲ方向に沿ってスムーズに移動することとなり、動画ボヤケや動画擬似輪郭の発生を抑制することができる。
【先行技術文献】
【特許文献】
【００１８】
【特許文献１】特開２００８−２０９６７１号公報
【発明の概要】
【発明が解決しようとする課題】
【００１９】
しかしながら、従来のサブフィールドの再配置処理でサブフィールドの発光位置を補正すると、動きベクトルに基づいて空間的に前方に位置する画素のサブフィールドが当該画素よりも後方の画素に分配されるので、本来であれば分配されないはずの画素からサブフィールドが分配される場合があった。この従来のサブフィールドの再配置処理の問題点について、以下に具体的に説明する。
【００２０】
図２４は、前景画像の背後を背景画像が通過する様子を表す表示画面の一例を示す図であり、図２５は、図２４に示す前景画像と背景画像との境界部分における、各サブフィールドの発光データを再配置する前の各サブフィールドの発光データの一例を示す模式図であり、図２６は、各サブフィールドの発光データを再配置した後の各サブフィールドの発光データの一例を示す模式図であり、図２７は、各サブフィールドの発光データを再配置した後の図２４に示す表示画面における前景画像と背景画像との境界部分を示す図である。
【００２１】
図２４に示す表示画面Ｄ４では、前景画像である木Ｔ１の背後を背景画像である車Ｃ１が通過している。木Ｔ１は静止しており、車Ｃ１は右方向へ移動している。このとき、前景画像と背景画像との境界部分Ｋ１は、図２５に示される。図２５において、画素Ｐ−０〜Ｐ−８が、木Ｔ１を構成する画素であり、画素Ｐ−９〜Ｐ−１７が、車Ｃ１を構成する画素である。なお、図２５では、同じ画素に属するサブフィールドを同じハッチングで表している。Ｎフレームにおける車Ｃ１は、Ｎ−１フレームから６画素分移動している。したがって、Ｎ−１フレームの画素Ｐ−１５における発光データは、Ｎフレームの画素Ｐ−９に移動している。
【００２２】
ここで、上記の従来の画像表示装置は、動きベクトルに応じて各サブフィールドの発光データを再配置し、図２６に示すように、Ｎフレームにおける各画素の各サブフィールドの再配置後の発光データが以下のように作成される。
【００２３】
すなわち、画素Ｐ−８〜Ｐ−４の第１〜第５サブフィールドＳＦ１〜ＳＦ５の発光データが５〜１画素分だけ左方向へ移動され、画素Ｐ−８〜Ｐ−４の第６サブフィールドＳＦ６の発光データは、変更されない。
【００２４】
上記のサブフィールドの再配置処理により、画素Ｐ−９の第１〜第５サブフィールドＳＦ１〜ＳＦ５の発光データ、画素Ｐ−１０の第１〜第４サブフィールドＳＦ１〜ＳＦ４の発光データ、画素Ｐ−１１の第１〜第３サブフィールドＳＦ１〜ＳＦ３の発光データ、画素Ｐ−１２の第１〜第２サブフィールドＳＦ１〜ＳＦ２の発光データ、及び画素Ｐ−１３の第１サブフィールドＳＦ１の発光データは、木Ｔ１を構成する画素に対応するサブフィールドの発光データとなる。
【００２５】
つまり、図２６の三角形で示す領域Ｒ１内のサブフィールドは、木Ｔ１のサブフィールドの発光データが再配置されることとなる。本来、画素Ｐ−９〜Ｐ−１３は、車Ｃ１に属しているので、木Ｔ１に属する画素Ｐ−８〜Ｐ−４の第１〜第５サブフィールドＳＦ１〜ＳＦ５の発光データが再配置されると、図２７に示すように、車Ｃ１と木Ｔ１との境界部分において動画ボヤケや動画擬似輪郭が発生し、画質が劣化する。
【００２６】
また、前景画像と背景画像とが重なった領域において、従来のサブフィールドの再配置処理でサブフィールドの発光位置を補正すると、前景画像を構成するサブフィールドの発光データと、背景画像を構成するサブフィールドの発光データとのうちのいずれの発光データを配置すべきかがわからないという問題が発生する。この従来のサブフィールドの再配置処理の問題点について、以下に具体的に説明する。
【００２７】
図２８は、背景画像の前を前景画像が通過する様子を表す表示画面の一例を示す図であり、図２９は、図２８に示す前景画像と背景画像との重複部分における、各サブフィールドの発光データを再配置する前の各サブフィールドの発光データの一例を示す模式図であり、図３０は、各サブフィールドの発光データを再配置した後の各サブフィールドの発光データの一例を示す模式図であり、図３１は、各サブフィールドの発光データを再配置した後の図２８に示す表示画面における前景画像と背景画像との重複部分を示す図である。
【００２８】
図２８に示す表示画面Ｄ５では、背景画像である木Ｔ２の前を前景画像であるボールＢ１が通過している。木Ｔ２は静止しており、ボールＢ１は右方向へ移動している。このとき、前景画像と背景画像との重複部分は、図２９に示される。図２９において、ＮフレームにおけるボールＢ１は、Ｎ−１フレームから７画素分移動している。したがって、Ｎ−１フレームの画素Ｐ−１４〜Ｐ−１６における発光データは、Ｎフレームの画素Ｐ−７〜Ｐ−９に移動している。なお、図２９では、同じ画素に属するサブフィールドを同じハッチングで表している。
【００２９】
ここで、上記の従来の画像表示装置は、動きベクトルに応じて各サブフィールドの発光データを再配置し、図３０に示すように、Ｎフレームにおける各画素の各サブフィールドの再配置後の発光データが以下のように作成される。
【００３０】
すなわち、画素Ｐ−７〜Ｐ−９の第１〜第５サブフィールドＳＦ１〜ＳＦ５の発光データが５〜１画素分だけ左方向へ移動され、画素Ｐ−７〜Ｐ−９の第６サブフィールドＳＦ６の発光データは、変更されない。
【００３１】
このとき、画素Ｐ−７〜Ｐ−９は、動きベクトルの値が０ではないため、画素Ｐ−７の第６サブフィールドＳＦ６、画素Ｐ−８の第５〜第６サブフィールドＳＦ５〜ＳＦ６、及び画素Ｐ−９の第４〜第６サブフィールドＳＦ４〜ＳＦ６は、それぞれ前景画像に対応する発光データが再配置される。しかしながら、画素Ｐ−１０〜Ｐ−１４は、動きベクトルの値が０であるため、画素Ｐ−１０の第３〜第５サブフィールドＳＦ３〜ＳＦ５、画素Ｐ−１１の第２〜第４サブフィールドＳＦ２〜ＳＦ４、画素Ｐ−１２の第１〜第３サブフィールドＳＦ１〜ＳＦ３、画素Ｐ−１３の第１〜第２サブフィールドＳＦ１〜ＳＦ２、及び画素Ｐ−１４の第１サブフィールドＳＦ１は、それぞれ背景画像に対応する発光データが再配置されるか、前景画像に対応する発光データが再配置されるかがわからない。
【００３２】
図３０の四角形で示す領域Ｒ２内のサブフィールドは、背景画像に対応する発光データが再配置された場合を示している。このように、前景画像と背景画像との重なり部分において、背景画像に対応する発光データが再配置された場合、図３１に示すように、ボールＢ１の輝度が低下し、ボールＢ１と木Ｔ２との重複部分において動画ボヤケや動画擬似輪郭が発生し、画質が劣化する。
【００３３】
本発明の目的は、動画ボヤケや動画擬似輪郭をより確実に抑制することができる映像処理装置及び映像表示装置を提供することである。
【課題を解決するための手段】
【００３４】
本発明の一局面に係る映像処理装置は、１フィールド又は１フレームを複数のサブフィールドに分割し、発光する発光サブフィールド及び発光しない非発光サブフィールドを組み合わせて階調表示を行うために入力画像を処理する映像処理装置であって、前記入力画像を各サブフィールドの発光データに変換するサブフィールド変換部と、時間的に前後する少なくとも２つ以上の入力画像を用いて動きベクトルを検出する動きベクトル検出部と、前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、前記入力画像における、第１の画像と、前記第１の画像に接する第２の画像との隣接領域を検出する検出部とを備え、前記第１の再生成部は、前記検出部によって検出された前記隣接領域を越えて、前記発光データを収集しない。
【００３５】
この映像処理装置においては、入力画像が各サブフィールドの発光データに変換され、時間的に前後する少なくとも２つ以上の入力画像を用いて動きベクトルが検出される。そして、動きベクトルに対応する画素分だけ空間的に前方に位置する画素のサブフィールドの発光データを収集することにより、各サブフィールドの発光データが空間的に再配置され、各サブフィールドの再配置発光データが生成される。このとき、入力画像における、第１の画像と、第１の画像に接する第２の画像との隣接領域が検出され、検出された隣接領域を越えて、発光データが収集されない。
【発明の効果】
【００３６】
本発明によれば、動きベクトルに対応する画素分だけ空間的に前方に位置する画素のサブフィールドの発光データを収集する際に、入力画像における、第１の画像と、第１の画像に接する第２の画像との隣接領域を越えて発光データが収集されないので、前景画像と背景画像との境界付近で発生する動画ボヤケや動画擬似輪郭をより確実に抑制することができる。
【図面の簡単な説明】
【００３７】
【図１】本発明の一実施形態による映像表示装置の構成を示すブロック図である。
【図２】本実施の形態におけるサブフィールドの再配置処理について説明するための模式図である。
【図３】境界検出を行わない場合におけるサブフィールドの再配置を示す模式図である。
【図４】境界検出を行った場合におけるサブフィールドの再配置を示す模式図である。
【図５】本実施の形態において図２５に示すサブフィールドを再配置した後の各サブフィールドの発光データの一例を示す模式図である。
【図６】本実施の形態において各サブフィールドの発光データを再配置した後の図２４に示す表示画面における前景画像と背景画像との境界部分を示す図である。
【図７】本実施の形態において図２９に示すサブフィールドを再配置した後の各サブフィールドの発光データの一例を示す模式図である。
【図８】本実施の形態において各サブフィールドの発光データを再配置した後の図２８に示す表示画面における前景画像と背景画像との境界部分を示す図である。
【図９】再配置処理前の各サブフィールドの発光データの一例を示す模式図である。
【図１０】前景画像と背景画像との境界を越えて発光データを収集しない再配置処理後の各サブフィールドの発光データの一例を示す模式図である。
【図１１】第２のサブフィールド再生成部による再配置処理後の各サブフィールドの発光データの一例を示す模式図である。
【図１２】前景画像の背後を背景画像が通過する様子を表す表示画面の一例を示す図である。
【図１３】図１２に示す前景画像と背景画像との境界部分における、各サブフィールドの発光データを再配置する前の各サブフィールドの発光データの一例を示す模式図である。
【図１４】従来の再配置方法により各サブフィールドの発光データを再配置した後の各サブフィールドの発光データの一例を示す模式図である。
【図１５】本実施の形態の再配置方法により各サブフィールドの発光データを再配置した後の各サブフィールドの発光データの一例を示す模式図である。
【図１６】互いに対向する方向へ移動する第１の画像と第２の画像とが画面中央付近で互いの背後に入り込む様子を表す表示画面の一例を示す図である。
【図１７】図１６に示す第１の画像と第２の画像との境界部分における、各サブフィールドの発光データを再配置する前の各サブフィールドの発光データの一例を示す模式図である。
【図１８】従来の再配置方法により各サブフィールドの発光データを再配置した後の各サブフィールドの発光データの一例を示す模式図である。
【図１９】本実施の形態の再配置方法により各サブフィールドの発光データを再配置した後の各サブフィールドの発光データの一例を示す模式図である。
【図２０】本発明の他の実施形態による映像表示装置の構成を示すブロック図である。
【図２１】表示画面の遷移状態の一例を示す模式図である。
【図２２】図２１に示す表示画面を表示するときの各サブフィールドの発光データを再配置する前の各サブフィールドの発光データを説明するための模式図である。
【図２３】図２１に示す表示画面を表示するときの各サブフィールドの発光データを再配置した後の各サブフィールドの発光データを説明するための模式図である。
【図２４】前景画像の背後を背景画像が通過する様子を表す表示画面の一例を示す図である。
【図２５】図２４に示す前景画像と背景画像との境界部分における、各サブフィールドの発光データを再配置する前の各サブフィールドの発光データの一例を示す模式図である。
【図２６】各サブフィールドの発光データを再配置した後の各サブフィールドの発光データの一例を示す模式図である。
【図２７】各サブフィールドの発光データを再配置した後の図２４に示す表示画面における前景画像と背景画像との境界部分を示す図である。
【図２８】背景画像の前を前景画像が通過する様子を表す表示画面の一例を示す図である。
【図２９】図２８に示す前景画像と背景画像との重複部分における、各サブフィールドの発光データを再配置する前の各サブフィールドの発光データの一例を示す模式図である。
【図３０】各サブフィールドの発光データを再配置した後の各サブフィールドの発光データの一例を示す模式図である。
【図３１】各サブフィールドの発光データを再配置した後の図２８に示す表示画面における前景画像と背景画像との重複部分を示す図である。
【発明を実施するための形態】
【００３８】
以下、本発明に係る映像表示装置について図面を参照しながら説明する。以下の実施形態では、映像表示装置の一例としてプラズマディスプレイ装置を例に説明するが、本発明が適用される映像表示装置はこの例に特に限定されず、１フィールド又は１フレームを複数のサブフィールドに分割して階調表示を行うものであれば、他の映像表示装置にも同様に適用可能である。
【００３９】
また、本明細書において、「サブフィールド」との記載は「サブフィールド期間」という意味も含み、「サブフィールドの発光」との記載は「サブフィールド期間における画素の発光」という意味も含むものとする。また、サブフィールドの発光期間は、視聴者が視認可能なように維持放電により発光している維持期間を意味し、視聴者が視認可能な発光を行っていない初期化期間及び書き込み期間等を含まず、サブフィールドの直前の非発光期間は、視聴者が視認可能な発光を行っていない期間を意味し、視聴者が視認可能な発光を行っていない初期化期間、書き込み期間及び維持期間等を含む。
【００４０】
図１は、本発明の一実施形態による映像表示装置の構成を示すブロック図である。図１に示す映像表示装置は、入力部１、サブフィールド変換部２、動きベクトル検出部３、第１のサブフィールド再生成部４、第２のサブフィールド再生成部５及び画像表示部６を備える。また、サブフィールド変換部２、動きベクトル検出部３、第１のサブフィールド再生成部４及び第２のサブフィールド再生成部５により、１フィールド又は１フレームを複数のサブフィールドに分割し、発光する発光サブフィールド及び発光しない非発光サブフィールドを組み合わせて階調表示を行うために入力画像を処理する映像処理装置が構成されている。
【００４１】
入力部１は、例えば、ＴＶ放送用のチューナー、画像入力端子、ネットワーク接続端子などを備え、入力部１に動画像データが入力される。入力部１は、入力された動画像データに公知の変換処理等を行い、変換処理後のフレーム画像データをサブフィールド変換部２及び動きベクトル検出部３へ出力する。
【００４２】
サブフィールド変換部２は、１フレーム画像データすなわち１フィールドの画像データを各サブフィールドの発光データに順次変換し、第１のサブフィールド再生成部４へ出力する。
【００４３】
ここで、サブフィールドを用いて階調を表現する映像表示装置の階調表現方法について説明する。１つのフィールドをＫ個のサブフィールドから構成し、各サブフィールドに輝度に対応する所定の重み付けを行い、この重み付けに応じて各サブフィールドの輝度が変化するように発光期間を設定する。例えば、７個のサブフィールドを用い、２のＫ乗の重み付けを行った場合、第１〜第７サブフィールドの重みはそれぞれ、１、２、４、８、１６、３２、６４となり、各サブフィールドの発光状態又は非発光状態を組み合わせることにより、０〜１２７階調の範囲で映像を表現することができる。なお、サブフィールドの分割数及び重み付けは、上記の例に特に限定されず、種々の変更が可能である。
【００４４】
動きベクトル検出部３には、時間的に連続する２つのフレーム画像データ、例えば、フレームＮ−１の画像データ及びフレームＮの画像データが入力され、動きベクトル検出部３は、これらのフレーム間の動き量を検出することによりフレームＮの画素毎の動きベクトルを検出し、第１のサブフィールド再生成部４へ出力する。この動きベクトル検出方法としては、公知の動きベクトル検出方法が用いられ、例えば、ブロック毎のマッチング処理による検出方法が用いられる。
【００４５】
第１のサブフィールド再生成部４は、時間的に先行するサブフィールドが大きく移動するように、動きベクトル検出部３により検出された動きベクトルに対応する画素分だけ空間的に前方に位置する画素のサブフィールドの発光データを収集することにより、サブフィールド変換部２により変換された各サブフィールドの発光データをフレームＮの画素毎に空間的に再配置し、フレームＮの画素毎に各サブフィールドの再配置発光データを生成する。なお、第１のサブフィールド再生成部４は、動きベクトルの方向によって特定される平面内において、２次元的に前方に位置する画素のサブフィールドの発光データを収集する。また、第１のサブフィールド再生成部４は、隣接領域検出部４１、重なり検出部４２及び奥行き情報作成部４３を含む。
【００４６】
隣接領域検出部４１は、サブフィールド変換部２から出力されたフレーム画像データにおける前景画像と背景画像との隣接領域を検出することにより、前景画像と背景画像との境界を検出する。隣接領域検出部４１は、注目画素のベクトル値と、発光データの収集先の画素のベクトル値とに基づいて隣接領域を検出する。なお、隣接領域とは、第１の画像と第２の画像とが接している画素及びその周辺数画素を含む領域をいう。また、さらに、隣接領域は、空間的に隣接する画素であり、隣接する画素間の動きベクトルが所定の値以上の差を有する領域と定義することも可能である。
【００４７】
なお、本実施の形態では、隣接領域検出部４１は、前景画像と背景画像との隣接領域を検出しているが、本発明は特にこれに限定されず、第１の画像と、第１の画像に接する第２の画像との隣接領域を検出してもよい。
【００４８】
重なり検出部４２は、前景画像と背景画像との重なりを検出する。奥行き情報作成部４３は、重なり検出部４２によって重なりが検出された場合、前景画像と背景画像とが重なる画素毎に、前景画像及び背景画像のいずれであるかを表す奥行き情報を作成する。奥行き情報作成部４３は、少なくとも２フレーム以上の動きベクトルの大きさに基づいて、奥行き情報を作成する。また、奥行き情報作成部４３は、前景画像が文字を表す文字情報であるか否かを判断する。
【００４９】
第２のサブフィールド再生成部５は、フレームＮの各画素のサブフィールドの配置順に従い、時間的に先行するサブフィールドが大きく移動するように、動きベクトルに対応する画素分だけ空間的に後方に移動した位置にある画素の対応するサブフィールドの発光データを、移動前の画素のサブフィールドの発光データに変更する。なお、第２のサブフィールド再生成部５は、動きベクトルの方向によって特定される平面内において、２次元的に後方に移動した位置にある画素の対応するサブフィールドの発光データを、移動前の画素のサブフィールドの発光データに変更する。
【００５０】
ここで、本実施の形態の第１のサブフィールド再生成部４におけるサブフィールドの再配置処理について説明する。本実施の形態では、近傍の動きベクトルは変化しないと仮定して、ある画素の空間的に前方にある画素のサブフィールドの発光データが収集される。
【００５１】
図２は、本実施の形態におけるサブフィールドの再配置処理について説明するための模式図である。第１のサブフィールド再生成部４は、動きベクトルに応じて各サブフィールドの発光データを再配置し、図２に示すように、各フレームに対して各画素の各サブフィールドの再配置後の発光データが以下のように作成される。
【００５２】
まず、Ｎ−１フレームとＮフレームとから動きベクトルＶ１として、５画素分の水平方向の移動量が検出された場合、Ｎフレームにおいて、画素Ｐ−５の第１サブフィールドＳＦ１の発光データは、４画素分だけ空間的に前方（右方向）の画素Ｐ−１の第１サブフィールドＳＦ１の発光データに変更され、画素Ｐ−５の第２サブフィールドＳＦ２の発光データは、３画素分だけ空間的に前方（右方向）の画素Ｐ−２の第２サブフィールドＳＦ２の発光データに変更され、画素Ｐ−５の第３サブフィールドＳＦ３の発光データは、２画素分だけ空間的に前方（右方向）の画素Ｐ−３の第３サブフィールドＳＦ３の発光データに変更され、画素Ｐ−５の第４サブフィールドＳＦ４の発光データは、１画素分だけ空間的に前方（右方向）の画素Ｐ−４の第４サブフィールドＳＦ４の発光データに変更され、画素Ｐ−５の第５サブフィールドＳＦ５の発光データは、変更されない。なお、本実施の形態において、発光データは、発光状態及び非発光状態のいずれかを表している。
【００５３】
上記のサブフィールドの再配置処理により、Ｎ−１フレームからＮフレームへ遷移する表示画像を視聴者が見た場合、視線方向が矢印ＢＲ方向に沿ってスムーズに移動することとなり、動画ボヤケや動画擬似輪郭の発生を抑制することができる。
【００５４】
このように、本実施の形態では、図２３に示す再配置方法と異なり、第１のサブフィールド再生成部４は、時間的に先行するサブフィールドが大きく移動するように、動きベクトル検出部３により検出された動きベクトルに対応する画素分だけ空間的に前方に位置する画素のサブフィールドの発光データを収集することにより、サブフィールド変換部２により変換された各サブフィールドの発光データを空間的に再配置し、各サブフィールドの再配置発光データを生成する。
【００５５】
このとき、図２６に示すように、移動している背景画像と静止している前景画像との境界において、領域Ｒ１内のサブフィールドは、前景画像のサブフィールドの発光データが再配置されることとなる。そこで、第１のサブフィールド再生成部４は、隣接領域検出部４１によって検出された隣接領域を越えて、発光データを収集しない。そして、第１のサブフィールド再生成部４は、発光データを収集しなかったサブフィールドについて、隣接領域よりも内側であり、かつ隣接領域の画素のサブフィールドの発光データを収集する。
【００５６】
また、図３０に示すように、移動している前景画像と静止している背景画像との重なり部分において、領域Ｒ２内のサブフィールドは、前景画像のサブフィールドの発光データと、背景画像のサブフィールドの発光データとのうちのいずれの発光データを再配置すべきかがわからず、背景画像のサブフィールドの発光データが再配置された場合、前景画像の輝度が低下してしまう。そこで、第１のサブフィールド再生成部４は、重なり検出部４２によって重なりが検出された場合、奥行き情報作成部４３によって作成された奥行き情報に基づいて、前景画像を構成する画素のサブフィールドの発光データを収集する。
【００５７】
なお、第１のサブフィールド再生成部４は、重なり検出部４２によって重なりが検出された場合、常に、奥行き情報作成部４３によって作成された奥行き情報に基づいて、前景画像を構成する画素のサブフィールドの発光データを収集してもよい。しかしながら、本実施の形態では、第１のサブフィールド再生成部４は、重なり検出部４２によって重なりが検出され、かつ奥行き情報作成部４３によって前景画像が文字情報でないと判断された場合、前景画像を構成する画素のサブフィールドの発光データを収集する。
【００５８】
前景画像が文字であり、文字が背景画像上を移動する場合、空間的に前方に位置する画素のサブフィールドの発光データを収集するよりも、空間的に後方に移動した位置にある画素に対応するサブフィールドの発光データを、移動前の画素のサブフィールドの発光データに変更したほうが、視聴者の視線方向をよりスムーズに移動させることができる。
【００５９】
そのため、第２のサブフィールド再生成部５は、重なり検出部４２によって重なりが検出され、かつ奥行き情報作成部４３によって前景画像が文字情報であると判断された場合、奥行き情報作成部４３によって作成された奥行き情報に基づいて、前景画像を構成する画素について、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更する。
【００６０】
画像表示部６は、プラズマディスプレイパネル及びパネル駆動回路等を備え、生成された再配置発光データに基づいて、プラズマディスプレイパネルの各画素の各サブフィールドの点灯又は消灯を制御して動画像を表示する。
【００６１】
次に、上記のように構成された映像表示装置による発光データの再配置処理について具体的に説明する。まず、入力部１に動画像データが入力され、入力部１は、入力された動画像データに所定の変換処理を行い、変換処理後のフレーム画像データをサブフィールド変換部２及び動きベクトル検出部３へ出力する。
【００６２】
次に、サブフィールド変換部２は、フレーム画像データを画素毎に第１〜第６サブフィールドＳＦ１〜ＳＦ６の発光データに順次変換し、第１のサブフィールド再生成部４へ出力する。
【００６３】
例えば、図２４に示すような、前景画像である木Ｔ１の背後を背景画像である車Ｃ１が通過する動画像データが入力部１に入力されたとする。このとき、木Ｔ１と車Ｃ１との境界付近の画素は、図２５に示すように第１〜第６サブフィールドＳＦ１〜ＳＦ６の発光データに変換される。サブフィールド変換部２は、図２５に示すように、画素Ｐ−０〜Ｐ−８の第１〜第６サブフィールドＳＦ１〜ＳＦ６を木Ｔ１に対応する発光状態に設定し、画素Ｐ−９〜Ｐ−１７の第１〜第６サブフィールドＳＦ１〜ＳＦ６を車Ｃ１に対応する発光状態に設定した発光データを生成する。したがって、サブフィールドの再配置を行わない場合は、図２５に示すサブフィールドによる画像が表示画面に表示される。
【００６４】
上記の第１〜第６サブフィールドＳＦ１〜ＳＦ６の発光データの作成に並行して、動きベクトル検出部３は、時間的に連続する２つのフレーム画像データ間の画素毎の動きベクトルを検出し、第１のサブフィールド再生成部４へ出力する。
【００６５】
次に、第１のサブフィールド再生成部４は、第１〜第６サブフィールドＳＦ１〜ＳＦ６の配置順に従い、時間的に先行するサブフィールドが大きく移動するように、動きベクトルに対応する画素分だけ空間的に前方に位置する画素のサブフィールドの発光データを収集する。これにより、第１のサブフィールド再生成部４は、サブフィールド変換部２により変換された各サブフィールドの発光データを空間的に再配置し、各サブフィールドの再配置発光データを生成する。
【００６６】
隣接領域検出部４１は、サブフィールド変換部２から出力されたフレーム画像データにおける前景画像と背景画像との境界（隣接領域）を検出する。
【００６７】
ここで、隣接領域検出部４１による境界検出方法について具体的に説明する。図３は、境界検出を行わない場合におけるサブフィールドの再配置を示す模式図であり、図４は、境界検出を行った場合におけるサブフィールドの再配置を示す模式図である。
【００６８】
隣接領域検出部４１は、注目画素の各サブフィールドについて、注目画素のベクトル値と、収集先の画素のベクトル値との差が所定値より大きい場合、当該収集先の画素が境界を越えた位置にあると判断する。すなわち、隣接領域検出部４１は、注目画素の各サブフィールドについて、注目画素のベクトル値Ｖａｌと、収集先の画素のベクトル値との差ｄｉｆｆが下記の（１）式を満たす場合、当該収集先の画素が境界を越えた位置にあると判断する。
【００６９】
ｄｉｆｆ＞±Ｖａｌ／２・・・（１）
【００７０】
例えば、図３において、注目画素Ｐ−１０の第１サブフィールドＳＦ１の発光データは、画素Ｐ−０の第１サブフィールドＳＦ１の発光データに変更され、注目画素Ｐ−１０の第２サブフィールドＳＦ２の発光データは、画素Ｐ−２の第２サブフィールドＳＦ２の発光データに変更され、注目画素Ｐ−１０の第３サブフィールドＳＦ３の発光データは、画素Ｐ−４の第３サブフィールドＳＦ３の発光データに変更され、注目画素Ｐ−１０の第４サブフィールドＳＦ４の発光データは、画素Ｐ−６の第４サブフィールドＳＦ４の発光データに変更され、注目画素Ｐ−１０の第５サブフィールドＳＦ５の発光データは、画素Ｐ−８の第５サブフィールドＳＦ５の発光データに変更され、注目画素Ｐ−１０の第６サブフィールドＳＦ６の発光データは、変更されない。
【００７１】
このとき、画素Ｐ−１０〜Ｐ−０のベクトル値は、それぞれ“６”、“６”、“４”、“６”、“０”及び“０”である。注目画素Ｐ−１０の第１サブフィールドＳＦ１については、注目画素Ｐ−１０のベクトル値と画素Ｐ−０のベクトル値との差ｄｉｆｆは“６”であり、Ｖａｌ／２は“３”であるので、上記（１）式を満たすこととなる。この場合、隣接領域検出部４１は、画素Ｐ−０が境界を越えた位置にあると判断し、第１のサブフィールド再生成部４は、注目画素Ｐ−１０の第１サブフィールドＳＦ１の発光データを画素Ｐ−０の第１サブフィールドＳＦ１の発光データに変更しない。
【００７２】
同様に、注目画素Ｐ−１０の第２サブフィールドＳＦ２については、注目画素Ｐ−１０のベクトル値と画素Ｐ−２のベクトル値との差ｄｉｆｆは“６”であり、Ｖａｌ／２は“３”であるので、上記（１）式を満たすこととなる。この場合、隣接領域検出部４１は、画素Ｐ−２が境界を越えた位置にあると判断し、第１のサブフィールド再生成部４は、注目画素Ｐ−１０の第２サブフィールドＳＦ２の発光データを画素Ｐ−２の第２サブフィールドＳＦ２の発光データに変更しない。
【００７３】
一方、注目画素Ｐ−１０の第３サブフィールドＳＦ３については、注目画素Ｐ−１０のベクトル値と画素Ｐ−４のベクトル値との差ｄｉｆｆは“０”であり、Ｖａｌ／２は“３”であるので、上記（１）式を満たさないこととなる。この場合、隣接領域検出部４１は、画素Ｐ−４が境界内にあると判断し、第１のサブフィールド再生成部４は、注目画素Ｐ−１０の第３サブフィールドＳＦ３の発光データを画素Ｐ−４の第３サブフィールドＳＦ３の発光データに変更する。
【００７４】
注目画素Ｐ−１０の第４及び第５サブフィールドＳＦ４及びＳＦ５についても、隣接領域検出部４１は、画素Ｐ−６及びＰ−８が境界内にあると判断し、第１のサブフィールド再生成部４は、注目画素Ｐ−１０の第４及び第５サブフィールドＳＦ４及びＳＦ５の発光データを画素Ｐ−６及びＰ−８の第４及び第５サブフィールドＳＦ４及びＳＦ５の発光データに変更する。
【００７５】
このとき、注目画素Ｐ−１０の第１サブフィールドＳＦ１のシフト量は、１０画素であり、注目画素Ｐ−１０の第２サブフィールドＳＦ２のシフト量は、８画素であり、注目画素Ｐ−１０の第３サブフィールドＳＦ３のシフト量は、６画素であり、注目画素Ｐ−１０の第４サブフィールドＳＦ４のシフト量は、４画素であり、注目画素Ｐ−１０の第５サブフィールドＳＦ５のシフト量は、２画素であり、注目画素Ｐ−１０の第６サブフィールドＳＦ６のシフト量は、０画素である。
【００７６】
隣接領域検出部４１は、上記の判断により、どの画素が境界内にあるかわかるので、収集先の画素が境界外にあると判断された注目画素のサブフィールドの発光データは、境界よりも内側であり、かつ境界に最も近い画素のサブフィールドの発光データに変更される。
【００７７】
すなわち、第１のサブフィールド再生成部４は、図４に示すように、注目画素Ｐ−１０の第１サブフィールドＳＦ１の発光データを、境界よりも内側であり、かつ境界に最も近い画素Ｐ−４の第１サブフィールドＳＦ１の発光データに変更し、注目画素Ｐ−１０の第２サブフィールドＳＦ２の発光データを、境界よりも内側であり、かつ境界に最も近い画素Ｐ−４の第２サブフィールドＳＦ２の発光データに変更する。
【００７８】
このとき、注目画素Ｐ−１０の第１サブフィールドＳＦ１のシフト量は、１０画素から６画素に変更され、注目画素Ｐ−１０の第２サブフィールドＳＦ２のシフト量は、８画素から６画素に変更される。
【００７９】
このように、第１のサブフィールド再生成部４は、図３に示すような一直線上に並んだサブフィールドの発光データを収集するのではなく、図４に示すような複数の直線上にあるサブフィールドの発光データを収集する。
【００８０】
なお、本実施の形態では、隣接領域検出部４１は、注目画素の各サブフィールドについて、注目画素のベクトル値Ｖａｌと、収集先の画素のベクトル値との差ｄｉｆｆが上記の（１）式を満たす場合、当該収集先の画素が境界を越えた位置にあると判断しているが、本発明は特にこれに限定されない。
【００８１】
すなわち、注目画素のベクトル値が小さい場合、境界であるにもかかわらず、差ｄｉｆｆが上記の（１）式を満たさない虞がある。そこで、隣接領域検出部４１は、注目画素の各サブフィールドについて、注目画素のベクトル値Ｖａｌと、収集先の画素のベクトル値との差ｄｉｆｆが下記の（２）式を満たす場合、当該収集先の画素が境界を越えた位置にあると判断してもよい。
【００８２】
ｄｉｆｆ＞Ｍａｘ（３，Ｖａｌ／２）・・・（２）
【００８３】
隣接領域検出部４１は、上記の（２）式に示すように、注目画素のベクトル値Ｖａｌと、収集先の画素のベクトル値との差ｄｉｆｆが、Ｖａｌ／２と“３”とのうちのいずれか大きい方の値より大きい場合、収集先の画素が境界を越えた位置にあると判断する。なお、上記の（２）式において、差ｄｉｆｆと比較する数値である“３”は一例であり、例えば、“２”、“４”又は“５”等の他の数値であってもよい。
【００８４】
図５は、本実施の形態において図２５に示すサブフィールドを再配置した後の各サブフィールドの発光データの一例を示す模式図であり、図６は、本実施の形態において各サブフィールドの発光データを再配置した後の図２４に示す表示画面における前景画像と背景画像との境界部分を示す図である。
【００８５】
ここで、第１のサブフィールド再生成部４は、動きベクトルに応じて各サブフィールドの発光データを再配置し、図５に示すように、Ｎフレームにおける各画素の各サブフィールドの再配置後の発光データが以下のように作成される。
【００８６】
すなわち、画素Ｐ−１７の第１〜第５サブフィールドＳＦ１〜ＳＦ５の発光データは、画素Ｐ−１２〜Ｐ−１６の第１〜第５サブフィールドＳＦ１〜ＳＦ５の発光データに変更され、画素Ｐ−１７の第６サブフィールドＳＦ６の発光データは、変更されない。なお、画素Ｐ−１６〜Ｐ−１４についても、画素Ｐ−１７と同様に発光データが変更される。
【００８７】
また、画素Ｐ−１３の第１及び第２サブフィールドＳＦ１及びＳＦ２の発光データは、画素Ｐ−９の第１及び第２サブフィールドＳＦ１及びＳＦ２の発光データに変更され、画素Ｐ−１３の第３〜第５サブフィールドＳＦ３〜ＳＦ５の発光データは、画素Ｐ−１０〜Ｐ−１２の第３〜第５サブフィールドＳＦ３〜ＳＦ５の発光データに変更され、画素Ｐ−１３の第６サブフィールドＳＦ６の発光データは、変更されない。
【００８８】
また、画素Ｐ−１２の第１〜第３サブフィールドＳＦ１〜ＳＦ３の発光データは、画素Ｐ−９の第１〜第３サブフィールドＳＦ１〜ＳＦ３の発光データに変更され、画素Ｐ−１２の第４及び第５サブフィールドＳＦ４及びＳＦ５の発光データは、画素Ｐ−１０及びＰ−１１の第４及び第５サブフィールドＳＦ４及びＳＦ５の発光データに変更され、画素Ｐ−１２の第６サブフィールドＳＦ６の発光データは、変更されない。
【００８９】
また、画素Ｐ−１１の第１〜第４サブフィールドＳＦ１〜ＳＦ４の発光データは、画素Ｐ−９の第１〜第４サブフィールドＳＦ１〜ＳＦ４の発光データに変更され、画素Ｐ−１１の第５サブフィールドＳＦ５の発光データは、画素Ｐ−１０の第５サブフィールドＳＦ５の発光データに変更され、画素Ｐ−１１の第６サブフィールドＳＦ６の発光データは、変更されない。
【００９０】
また、画素Ｐ−１０の第１〜第５サブフィールドＳＦ１〜ＳＦ５の発光データは、画素Ｐ−９の第１〜第５サブフィールドＳＦ１〜ＳＦ５の発光データに変更され、画素Ｐ−１０の第６サブフィールドＳＦ６の発光データは、変更されない。
【００９１】
さらに、画素Ｐ−９の第１〜第６サブフィールドＳＦ１〜ＳＦ６の発光データは、変更されない。
【００９２】
上記のサブフィールドの再配置処理により、画素Ｐ−９の第１〜第５サブフィールドＳＦ１〜ＳＦ５の発光データ、画素Ｐ−１０の第１〜第４サブフィールドＳＦ１〜ＳＦ４の発光データ、画素Ｐ−１１の第１〜第３サブフィールドＳＦ１〜ＳＦ３の発光データ、画素Ｐ−１２の第１〜第２サブフィールドＳＦ１〜ＳＦ２の発光データ、及び画素Ｐ−１３の第１サブフィールドＳＦ１の発光データは、車Ｃ１を構成する画素Ｐ−９に対応するサブフィールドの発光データとなる。
【００９３】
このように、第１のサブフィールド再生成部４により生成された再配置発光データが出力される領域と、検出部４１により検出された隣接領域との間の少なくとも一部の領域には、空間的に前方に位置する画素のサブフィールドの発光データが配置されている。
【００９４】
つまり、図５の三角形で示す領域Ｒ１内のサブフィールドは、木Ｔ１に属するサブフィールドの発光データが再配置されるのではなく、車Ｃ１に属するサブフィールドの発光データが再配置されることとなる。これにより、図６に示すように、車Ｃ１と木Ｔ１との境界が明確になり、動画ボヤケや動画擬似輪郭が抑制され、画質が向上する。
【００９５】
続いて、重なり検出部４２は、サブフィールド毎に前景画像と背景画像との重なりを検出する。具体的には、重なり検出部４２は、サブフィールドの再配置時において、サブフィールド毎の発光データが書き込まれた回数を計数し、書き込み回数が２回以上の場合、当該サブフィールドが前景画像と背景画像との重なり部分として検出される。
【００９６】
例えば、図２８のように、背景画像上を前景画像が通過する動画データのサブフィールドを再配置する場合、背景画像と前景画像とが重なる部分では、背景画像の発光データと前景画像の発光データとの２つの発光データが１つのサブフィールドに配置される。そのため、サブフィールド毎に発光データが書き込まれた回数を計数することにより、前景画像と背景画像とが重複しているか否かを検出することができる。
【００９７】
次に、奥行き情報作成部４３は、重なり検出部４２によって重なりが検出された場合、前景画像と背景画像とが重なる画素毎に、前景画像及び背景画像のいずれであるかを表す奥行き情報を算出する。具体的に、奥行き情報作成部４３は、２フレーム以上の同一画素の動きベクトルの値を比較し、動きベクトルの値が変化している場合、当該画素は前景画像であるとし、動きベクトルの値が変化していない場合、当該画素は背景画像であるとして奥行き情報を作成する。例えば、奥行き情報作成部４３は、ＮフレームとＮ−１フレームとの同一画素のベクトル値を比較する。
【００９８】
第１のサブフィールド再生成部４は、重なり検出部４２によって重なりが検出された場合、重なり部分の各サブフィールドの発光データを、奥行き情報作成部４３によって作成された奥行き情報で特定される前景画像を構成する画素のサブフィールドの発光データに変更する。
【００９９】
図７は、本実施の形態において図２９に示すサブフィールドを再配置した後の各サブフィールドの発光データの一例を示す模式図であり、図８は、本実施の形態において各サブフィールドの発光データを再配置した後の図２８に示す表示画面における前景画像と背景画像との境界部分を示す図である。
【０１００】
ここで、第１のサブフィールド再生成部４は、動きベクトルに応じて各サブフィールドの発光データを再配置し、図７に示すように、Ｎフレームにおける各画素の各サブフィールドの再配置後の発光データが以下のように作成される。
【０１０１】
まず、第１のサブフィールド再生成部４は、第１〜第６サブフィールドＳＦ１〜ＳＦ６の配置順に従い、時間的に先行するサブフィールドが大きく移動するように、動きベクトルに対応する画素分だけ空間的に前方に位置する画素のサブフィールドの発光データを収集する。
【０１０２】
このとき、重なり検出部４２は、各サブフィールドの発光データの書き込み回数を計数する。画素Ｐ−１４の第１サブフィールドＳＦ１、画素Ｐ−１３の第１及び第２サブフィールドＳＦ１及びＳＦ２、画素Ｐ−１２の第１〜第３サブフィールドＳＦ１〜ＳＦ３、画素Ｐ−１１の第２〜第４サブフィールドＳＦ２〜ＳＦ４、及び画素Ｐ−１０の第３〜第５サブフィールドＳＦ３〜ＳＦ５は、書き込み回数が２回であるため、重なり検出部４２は、これらのサブフィールドを、前景画像と背景画像との重なり部分として検出する。
【０１０３】
次に、奥行き情報作成部４３は、再配置前のＮフレームとＮ−１フレームとの同一画素の動きベクトルの値を比較し、動きベクトルの値が変化している場合、当該画素は前景画像であるとし、動きベクトルの値が変化していない場合、当該画素は背景画像であるとして奥行き情報を作成する。例えば、図２９に示すＮフレーム画像では、画素Ｐ−０〜Ｐ−６が背景画像であり、画素Ｐ−７〜Ｐ−９が前景画像であり、画素Ｐ−１０〜Ｐ−１７が背景画像である。
【０１０４】
第１のサブフィールド再生成部４は、重なり検出部４２によって重なり部分であるとして検出されたサブフィールドの収集先のサブフィールドの画素に対応付けられている奥行き情報を参照し、奥行き情報が前景画像を表す情報であれば、収集先のサブフィールドの発光データを収集し、奥行き情報が背景画像を表す情報であれば、収集先のサブフィールドの発光データを収集しない。
【０１０５】
これにより、図７に示すように、画素Ｐ−１４の第１サブフィールドＳＦ１の発光データは、画素Ｐ−９の第１サブフィールドＳＦ１の発光データに変更され、画素Ｐ−１３の第１及び第２サブフィールドＳＦ１及びＳＦ２の発光データは、画素Ｐ−８の第１サブフィールドＳＦ１及び画素Ｐ−９の第２サブフィールドＳＦ２の発光データに変更され、画素Ｐ−１２の第１〜第３サブフィールドＳＦ１〜ＳＦ３の発光データは、画素Ｐ−７の第１サブフィールドＳＦ１、画素Ｐ−８の第２サブフィールドＳＦ２及び画素Ｐ−９の第３サブフィールドＳＦ３の発光データに変更され、画素Ｐ−１１の第２〜第４サブフィールドＳＦ２〜ＳＦ４の発光データは、画素Ｐ−７の第２サブフィールドＳＦ２、画素Ｐ−８の第３サブフィールドＳＦ３及び画素Ｐ−９の第４サブフィールドＳＦ４の発光データに変更され、画素Ｐ−１０の第３〜第５サブフィールドＳＦ３〜ＳＦ５の発光データは、画素Ｐ−７の第３サブフィールドＳＦ３、画素Ｐ−８の第４サブフィールドＳＦ４及び画素Ｐ−９の第５サブフィールドＳＦ５の発光データに変更される。
【０１０６】
上記のサブフィールドの再配置処理により、前景画像と背景画像との重なり部分において、前景画像のサブフィールドの発光データが優先的に収集されることとなる。つまり、図７の四角形で示す領域Ｒ２のサブフィールドは、前景画像に対応する発光データが再配置される。このように、前景画像と背景画像との重なり部分において、前景画像に対応する発光データが再配置された場合、図８に示すように、ボールＢ１の輝度が向上し、ボールＢ１と木Ｔ２との重複部分において動画ボヤケや動画擬似輪郭が抑制され、画質が向上する。
【０１０７】
なお、本実施の形態において、奥行き情報作成部４３は、少なくとも２フレーム以上の動きベクトルの大きさに基づいて、前景画像であるか、背景画像であるかを表す奥行き情報を画素毎に作成しているが、本発明は特にこれに限定されない。すなわち、入力部１に入力された入力画像に、前景画像であるか、背景画像であるかを表す奥行き情報が予め含まれている場合、奥行き情報を作成する必要はない。この場合、入力部１に入力された入力画像から、奥行き情報が抽出される。
【０１０８】
次に、前景画像が文字である場合のサブフィールドの再配置処理について説明する。図９は、再配置処理前の各サブフィールドの発光データの一例を示す模式図であり、図１０は、前景画像と背景画像との境界を越えて発光データを収集しない再配置処理後の各サブフィールドの発光データの一例を示す模式図であり、図１１は、第２のサブフィールド再生成部５による再配置処理後の各サブフィールドの発光データの一例を示す模式図である。
【０１０９】
図９において、画素Ｐ−０〜Ｐ−２，Ｐ−６，Ｐ−７は、背景画像を構成する画素であり、画素Ｐ−３〜Ｐ−５は、前景画像を構成する画素であり、かつ文字を構成する画素である。画素Ｐ−３〜Ｐ−５の動きベクトルの方向は、それぞれ左方向であり、画素Ｐ−３〜Ｐ−５の動きベクトルの値は、それぞれ“４”である。
【０１１０】
このとき、前景画像と背景画像との境界を検出し、境界を越えないように発光データを収集した場合、図１０に示すように、再配置処理後の各サブフィールドの発光データは、画素Ｐ−３〜Ｐ−５に再配置される。この場合、視聴者の視線方向がスムーズに移動しないため、動画ボヤケや動画擬似輪郭が発生する虞がある。
【０１１１】
そこで、本実施の形態では、前景画像が文字情報である場合、前景画像と背景画像との境界を越えることを許可し、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更する。
【０１１２】
すなわち、奥行き情報作成部４３は、公知の文字認識技術を用いて前景画像が文字であるかを認識し、文字であると認識した場合、前景画像が文字であることを表す情報を奥行き情報に付加する。
【０１１３】
第１のサブフィールド再生成部４は、奥行き情報作成部４３によって前景画像が文字であると識別された場合、再配置処理を行わず、サブフィールド変換部２によって複数のサブフィールドに変換された画像データ及び動きベクトル検出部３によって検出された動きベクトルを第２のサブフィールド再生成部５へ出力する。
【０１１４】
第２のサブフィールド再生成部５は、奥行き情報作成部４３によって文字であると認識された画素について、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更する。
【０１１５】
これにより、図１１に示すように、画素Ｐ−０の第１サブフィールドＳＦ１の発光データは、画素Ｐ−３の第１サブフィールドＳＦ１の発光データに変更され、画素Ｐ−１の第１及び第２サブフィールドＳＦ１及びＳＦ２の発光データは、画素Ｐ−４の第１サブフィールドＳＦ１及び画素Ｐ−３の第２サブフィールドＳＦ２の発光データに変更され、画素Ｐ−２の第１〜第３サブフィールドＳＦ１〜ＳＦ３の発光データは、画素Ｐ−５の第１サブフィールドＳＦ１、画素Ｐ−４の第２サブフィールドＳＦ２及び画素Ｐ−３の第３サブフィールドＳＦ３の発光データに変更され、画素Ｐ−３の第２及び第３サブフィールドＳＦ２及びＳＦ３の発光データは、画素Ｐ−５の第２サブフィールドＳＦ２及び画素Ｐ−４の第３サブフィールドＳＦ３の発光データに変更され、画素Ｐ−４の第３サブフィールドＳＦ３の発光データは、画素Ｐ−５の第３サブフィールドＳＦ３の発光データに変更される。
【０１１６】
上記のサブフィールドの再配置処理により、前景画像が文字である場合、前景画像を構成する画素に対応するサブフィールドの発光データが、時間的に先行するサブフィールドが大きく移動するように、動きベクトルに対応する画素分だけ空間的に後方に分配されるので、視線方向がスムーズに移動し、動画ボヤケや動画擬似輪郭が抑制され、画質が向上する。
【０１１７】
なお、第２のサブフィールド再生成部５は、入力画像において水平方向に移動する前景画像を構成する画素についてのみ、時間的に先行するサブフィールドが大きく移動するように、動きベクトル検出部３により検出された動きベクトルに対応する画素分だけ空間的に後方に移動した位置にある画素に対応するサブフィールドの発光データを、移動前の画素のサブフィールドの発光データに変更することが好ましい。
【０１１８】
画面上を文字が移動する、いわゆる文字スクロールの場合、文字は、垂直方向ではなく、水平方向へ移動する場合がほとんどである。そこで、第２のサブフィールド再生成部５は、入力画像において水平方向に移動する前景画像を構成する画素についてのみ、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更することにより、垂直方向のラインメモリの数を削減することができ、第２のサブフィールド再生成部５によって用いられるメモリを小さくすることができる。
【０１１９】
また、本実施の形態において、奥行き情報作成部４３は、公知の文字認識技術を用いて前景画像が文字であるかを認識し、文字であると認識した場合、前景画像が文字であることを表す情報を奥行き情報に付加しているが、本発明は特にこれに限定されない。すなわち、入力部１に入力された入力画像に、予め前景画像が文字であることを表す情報が含まれている場合、前景画像が文字であるかを認識する必要はない。
【０１２０】
この場合、入力部１に入力された入力画像から、前景画像が文字であることを表す情報が抽出される。そして、第２のサブフィールド再生成部５は、入力部１に入力された入力画像に含まれる、前景画像が文字であることを表す情報に基づいて、文字である画素を特定し、特定した画素について、時間的に先行するサブフィールドが大きく移動するように、動きベクトルに対応する画素分だけ空間的に後方に移動した位置にある画素に対応するサブフィールドの発光データを、移動前の画素のサブフィールドの発光データに変更する。
【０１２１】
次に、境界付近におけるサブフィールドの再配置処理の別の例について説明する。図１２は、前景画像の背後を背景画像が通過する様子を表す表示画面の一例を示す図であり、図１３は、図１２に示す前景画像と背景画像との境界部分における、各サブフィールドの発光データを再配置する前の各サブフィールドの発光データの一例を示す模式図であり、図１４は、従来の再配置方法により各サブフィールドの発光データを再配置した後の各サブフィールドの発光データの一例を示す模式図であり、図１５は、本実施の形態の再配置方法により各サブフィールドの発光データを再配置した後の各サブフィールドの発光データの一例を示す模式図である。
【０１２２】
図１２に示す表示画面Ｄ６では、中央に配置された前景画像Ｉ１は静止しており、背景画像Ｉ２は、前景画像Ｉ１の背後を通って、左方向へ移動している。なお、図１２〜図１５において、前景画像Ｉ１の各画素の動きベクトルの値は“０”であり、背景画像Ｉ２の各画素の動きベクトルの値は“４”である。
【０１２３】
図１３に示すように、サブフィールドの再配置処理前において、前景画像Ｉ１は、画素Ｐ−３〜Ｐ−５で構成され、背景画像Ｉ２は、画素Ｐ−０〜Ｐ−２，Ｐ−６，Ｐ−７で構成される。
【０１２４】
従来の再配置方法により図１３に示す各サブフィールドの発光データを再配置した場合、図１４に示すように、画素Ｐ−０〜Ｐ−２の第１サブフィールドＳＦ１の発光データは、それぞれ画素Ｐ−３〜Ｐ−５の第１サブフィールドＳＦ１の発光データに変更され、画素Ｐ−１及びＰ−２の第２サブフィールドＳＦ２の発光データは、それぞれ画素Ｐ−３及びＰ−４の第２サブフィールドＳＦ２の発光データに変更され、画素Ｐ−２の第３サブフィールドＳＦ３の発光データは、画素Ｐ−３の第３サブフィールドＳＦ３の発光データに変更される。
【０１２５】
この場合、前景画像Ｉ１を構成する一部の画素のサブフィールドの発光データが背景画像Ｉ２側へ移動するため、表示画面Ｄ６の前景画像Ｉ１と背景画像Ｉ２との境界において、前景画像Ｉ１が背景画像Ｉ２側へはみ出して表示され、動画ボヤケや動画擬似輪郭が発生し、画質が劣化する。
【０１２６】
一方、本実施の形態の再配置方法により図１３に示す各サブフィールドの発光データを再配置した場合、図１５に示すように、前景画像Ｉ１を構成する画素Ｐ−３〜Ｐ−５の各サブフィールドの発光データは移動することなく、画素Ｐ−０及びＰ−１の第１サブフィールドＳＦ１の発光データは、それぞれ画素Ｐ−２の第１サブフィールドＳＦ１の発光データに変更され、画素Ｐ−１の第２サブフィールドＳＦ２の発光データは、画素Ｐ−２の第２サブフィールドＳＦ２の発光データに変更され、画素Ｐ−２の第１〜第４サブフィールドＳＦ１〜ＳＦ４の発光データは、変更されない。
【０１２７】
このように、本実施の形態では、前景画像Ｉ１と背景画像Ｉ２との境界が明確になり、動きベクトルが大きく変化する境界部分において再配置処理した場合に生じる動画ボヤケや動画擬似輪郭をより確実に抑制することができる。
【０１２８】
続いて、境界付近におけるサブフィールドの再配置処理のさらに別の例について説明する。図１６は、互いに対向する方向へ移動する第１の画像と第２の画像とが画面中央付近で互いの背後に入り込む様子を表す表示画面の一例を示す図であり、図１７は、図１６に示す第１の画像と第２の画像との境界部分における、各サブフィールドの発光データを再配置する前の各サブフィールドの発光データの一例を示す模式図であり、図１８は、従来の再配置方法により各サブフィールドの発光データを再配置した後の各サブフィールドの発光データの一例を示す模式図であり、図１９は、本実施の形態の再配置方法により各サブフィールドの発光データを再配置した後の各サブフィールドの発光データの一例を示す模式図である。
【０１２９】
図１６に示す表示画面Ｄ７では、右方向へ移動している第１の画像Ｉ３と、左方向へ移動している第２の画像Ｉ４とが画面中央付近で互いの背後に入り込んでいる。なお、図１６〜図１９において、第１の画像Ｉ３の各画素の動きベクトルの値は“４”であり、第２の画像Ｉ４の各画素の動きベクトルの値は“４”である。
【０１３０】
図１７に示すように、サブフィールドの再配置処理前において、第１の画像Ｉ３は、画素Ｐ−４〜Ｐ−７で構成され、第２の画像Ｉ４は、画素Ｐ−０〜Ｐ−３で構成される。
【０１３１】
従来の再配置方法により図１７に示す各サブフィールドの発光データを再配置した場合、図１８に示すように、画素Ｐ−１〜Ｐ−３の第１サブフィールドＳＦ１の発光データは、それぞれ画素Ｐ−４〜Ｐ−６の第１サブフィールドＳＦ１の発光データに変更され、画素Ｐ−２及びＰ−３の第２サブフィールドＳＦ２の発光データは、それぞれ画素Ｐ−４及びＰ−５の第２サブフィールドＳＦ２の発光データに変更され、画素Ｐ−３の第３サブフィールドＳＦ３の発光データは、画素Ｐ−４の第３サブフィールドＳＦ３の発光データに変更される。
【０１３２】
さらに、画素Ｐ−４〜Ｐ−６の第１サブフィールドＳＦ１の発光データは、それぞれ画素Ｐ−１〜Ｐ−３の第１サブフィールドＳＦ１の発光データに変更され、画素Ｐ−４及びＰ−６の第２サブフィールドＳＦ２の発光データは、それぞれ画素Ｐ−２及びＰ−３の第２サブフィールドＳＦ２の発光データに変更され、画素Ｐ−４の第３サブフィールドＳＦ３の発光データは、画素Ｐ−３の第３サブフィールドＳＦ３の発光データに変更される。
【０１３３】
この場合、第１の画像Ｉ３を構成する一部の画素のサブフィールドの発光データが第２の画像Ｉ４側へ移動するとともに、第２の画像Ｉ４を構成する一部の画素のサブフィールドの発光データが第１の画像Ｉ３側へ移動するため、表示画面Ｄ７の第１の画像Ｉ３と第２の画像Ｉ４との境界から、第１の画像Ｉ３及び第２の画像Ｉ４が互いにはみ出して表示され、動画ボヤケや動画擬似輪郭が発生し、画質が劣化する。
【０１３４】
一方、本実施の形態の再配置方法により図１７に示す各サブフィールドの発光データを再配置した場合、図１９に示すように、画素Ｐ−１及びＰ−２の第１サブフィールドＳＦ１の発光データは、それぞれ画素Ｐ−３の第１サブフィールドＳＦ１の発光データに変更され、画素Ｐ−２の第２サブフィールドＳＦ２の発光データは、画素Ｐ−３の第２サブフィールドＳＦ２の発光データに変更され、画素Ｐ−３の第１〜第４サブフィールドＳＦ１〜ＳＦ４の発光データは、変更されない。
【０１３５】
また、画素Ｐ−５及びＰ−６の第１サブフィールドＳＦ１の発光データは、それぞれ画素Ｐ−４の第１サブフィールドＳＦ１の発光データに変更され、画素Ｐ−５の第２サブフィールドＳＦ２の発光データは、画素Ｐ−４の第２サブフィールドＳＦ２の発光データに変更され、画素Ｐ−４の第１〜第４サブフィールドＳＦ１〜ＳＦ４の発光データは、変更されない。
【０１３６】
このように、本実施の形態では、第１の画像Ｉ３と第２の画像Ｉ４との境界が明確になり、動きベクトルの方向が不連続である境界部分において再配置処理した場合に生じる動画ボヤケや動画擬似輪郭をより確実に抑制することができる。
【０１３７】
次に、本発明の他の実施形態による映像表示装置について説明する。
【０１３８】
図２０は、本発明の他の実施形態による映像表示装置の構成を示すブロック図である。図２０に示す映像表示装置は、入力部１、サブフィールド変換部２、動きベクトル検出部３、第１のサブフィールド再生成部４、第２のサブフィールド再生成部５、画像表示部６及び平滑化処理部７を備える。また、サブフィールド変換部２、動きベクトル検出部３、第１のサブフィールド再生成部４、第２のサブフィールド再生成部５及び平滑化処理部７により、１フィールドを複数のサブフィールドに分割し、発光する発光サブフィールド及び発光しない非発光サブフィールドを組み合わせて階調表示を行うために入力画像を処理する映像処理装置が構成されている。
【０１３９】
なお、図２０に示す映像表示装置において、図１に示す映像表示装置と同じ構成については同じ符号を付し、説明を省略する。
【０１４０】
平滑化処理部７は、例えばローパスフィルタで構成され、動きベクトル検出部３によって検出された動きベクトルの値に対し、前景画像と背景画像との境界部分において値が滑らかになるように平滑化する。例えば、移動方向に沿って、連続した画素の動きベクトルの値が、“６６６６６６００００００”と変化している表示画面を再配置する場合、平滑化処理部７は、“６５４３２１００００００”となるように動きベクトルの値を平滑化する。
【０１４１】
このように、平滑化処理部７は、静止している前景画像と、移動している背景画像との境界において、背景画像の動きベクトルの値を滑らかに連続するように平滑化する。そして、第１のサブフィールド再生成部４は、平滑化処理部７により平滑化された動きベクトルに応じて、サブフィールド変換部２により変換された各サブフィールドの発光データをフレームＮの画素毎に空間的に再配置することにより、フレームＮの画素毎に各サブフィールドの再配置発光データを生成する。
【０１４２】
これにより、静止している前景画像と、移動している背景画像との境界において、前景画像と背景画像とが連続的になり、不自然さが無くなるので、より高い精度でサブフィールドを再配置することができる。
【０１４３】
なお、上述した具体的実施形態には以下の構成を有する発明が主に含まれている。
【０１４４】
本発明の一局面に係る映像処理装置は、１フィールド又は１フレームを複数のサブフィールドに分割し、発光する発光サブフィールド及び発光しない非発光サブフィールドを組み合わせて階調表示を行うために入力画像を処理する映像処理装置であって、前記入力画像を各サブフィールドの発光データに変換するサブフィールド変換部と、時間的に前後する少なくとも２つ以上の入力画像を用いて動きベクトルを検出する動きベクトル検出部と、前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、前記入力画像における、第１の画像と、前記第１の画像に接する第２の画像との隣接領域を検出する検出部とを備え、前記第１の再生成部は、前記検出部によって検出された前記隣接領域を越えて、前記発光データを収集しない。
【０１４５】
この映像処理装置においては、入力画像が各サブフィールドの発光データに変換され、時間的に前後する少なくとも２つ以上の入力画像を用いて動きベクトルが検出される。そして、動きベクトルに対応する画素分だけ空間的に前方に位置する画素のサブフィールドの発光データを収集することにより、各サブフィールドの発光データが空間的に再配置され、各サブフィールドの再配置発光データが生成される。このとき、入力画像における、第１の画像と、第１の画像に接する第２の画像との隣接領域が検出され、検出された隣接領域を越えて、発光データが収集されない。
【０１４６】
したがって、動きベクトルに対応する画素分だけ空間的に前方に位置する画素のサブフィールドの発光データを収集する際に、入力画像における、第１の画像と、第１の画像に接する第２の画像との隣接領域を越えて発光データが収集されないので、前景画像と背景画像との境界付近で発生する動画ボヤケや動画擬似輪郭をより確実に抑制することができる。
【０１４７】
本発明の他の局面に係る映像処理装置は、１フィールド又は１フレームを複数のサブフィールドに分割し、発光する発光サブフィールド及び発光しない非発光サブフィールドを組み合わせて階調表示を行うために入力画像を処理する映像処理装置であって、前記入力画像を各サブフィールドの発光データに変換するサブフィールド変換部と、時間的に前後する少なくとも２つ以上の入力画像を用いて動きベクトルを検出する動きベクトル検出部と、前記動きベクトル検出部により検出された動きベクトルに対応する画素分だけ空間的に前方に位置する画素のサブフィールドの発光データを収集することにより、前記サブフィールド変換部により変換された各サブフィールドの発光データを空間的に再配置し、各サブフィールドの再配置発光データを生成する第１の再生成部と、前記入力画像における、第１の画像と、前記第１の画像に接する第２の画像との隣接領域を検出する検出部とを備え、前記第１の再生成部は、複数の直線上にあるサブフィールドの発光データを収集する。
【０１４８】
この映像処理装置においては、入力画像が各サブフィールドの発光データに変換され、時間的に前後する少なくとも２つ以上の入力画像を用いて動きベクトルが検出される。そして、動きベクトルに対応する画素分だけ空間的に前方に位置する画素のサブフィールドの発光データを収集することにより、各サブフィールドの発光データが空間的に再配置され、各サブフィールドの再配置発光データが生成される。このとき、入力画像における、第１の画像と、第１の画像に接する第２の画像との隣接領域が検出され、複数の直線上にあるサブフィールドの発光データが収集される。
【０１４９】
したがって、動きベクトルに対応する画素分だけ空間的に前方に位置する画素のサブフィールドの発光データを収集する際に、複数の直線上にあるサブフィールドの発光データが収集されるので、前景画像と背景画像との境界付近で発生する動画ボヤケや動画擬似輪郭をより確実に抑制することができる。
【０１５０】
本発明の他の局面に係る映像処理装置は、１フィールド又は１フレームを複数のサブフィールドに分割し、発光する発光サブフィールド及び発光しない非発光サブフィールドを組み合わせて階調表示を行うために入力画像を処理する映像処理装置であって、前記入力画像を各サブフィールドの発光データに変換するサブフィールド変換部と、時間的に前後する少なくとも２つ以上の入力画像を用いて動きベクトルを検出する動きベクトル検出部と、前記動きベクトル検出部により検出された動きベクトルに対応して、空間的に前方に位置する画素のサブフィールドについて、前記サブフィールド変換部により変換された、各サブフィールドの発光データを空間的に再配置し、各サブフィールドの再配置発光データを生成する第１の再生成部と、前記入力画像における、第１の画像と、前記第１の画像に接する第２の画像との隣接領域を検出する検出部とを備え、前記第１の再生成部により生成された再配置発光データが出力される領域と、前記検出部により検出された隣接領域との間の少なくとも一部の領域には、前記空間的に前方に位置する画素のサブフィールドの発光データが配置されている。
【０１５１】
この映像処理装置においては、入力画像が各サブフィールドの発光データに変換され、時間的に前後する少なくとも２つ以上の入力画像を用いて動きベクトルが検出される。そして、動きベクトルに対応して、空間的に前方に位置する画素のサブフィールドについて、各サブフィールドの発光データが空間的に再配置され、各サブフィールドの再配置発光データが生成される。このとき、入力画像における、第１の画像と、第１の画像に接する第２の画像との隣接領域が検出され、生成された再配置発光データが出力される領域と、検出された隣接領域との間の少なくとも一部の領域には、空間的に前方に位置する画素のサブフィールドの発光データが配置されている。
【０１５２】
したがって、生成された再配置発光データが出力される領域と、入力画像における、第１の画像と、第１の画像に接する第２の画像との隣接領域との間の少なくとも一部の領域には、空間的に前方に位置する画素のサブフィールドの発光データが配置されているので、前景画像と背景画像との境界付近で発生する動画ボヤケや動画擬似輪郭をより確実に抑制することができる。
【０１５３】
また、上記の映像処理装置において、前記第１の再生成部は、前記発光データを収集しなかったサブフィールドについて、前記隣接領域の画素のサブフィールドの前記発光データを収集することが好ましい。
【０１５４】
この構成によれば、発光データが収集されなかったサブフィールドについて、隣接領域の画素のサブフィールドの発光データが収集されるので、前景画像と背景画像との境界をより明確に表示することができ、境界付近で発生する動画ボヤケや動画擬似輪郭をより確実に抑制することができる。
【０１５５】
また、上記の映像処理装置において、前記第１の画像は、前景を表す前景画像を含み、前記第２の画像は、背景を表す背景画像を含み、前記前景画像と前記背景画像とが重なる画素毎に、前記前景画像及び前記背景画像のいずれであるかを表す奥行き情報を作成する奥行き情報作成部とをさらに備え、前記第１の再生成部は、前記奥行き情報作成部によって作成された前記奥行き情報で特定される前記前景画像を構成する画素のサブフィールドの発光データを収集することが好ましい。
【０１５６】
この構成によれば、前景画像と背景画像とが重なる画素毎に、前景画像及び背景画像のいずれであるかを表す奥行き情報が作成される。そして、奥行き情報で特定される前景画像を構成する画素のサブフィールドの発光データが収集される。
【０１５７】
したがって、前景画像と背景画像とが重なる場合、前景画像を構成する画素のサブフィールドの発光データが収集されるので、前景画像と背景画像との重なり部分で発生する動画ボヤケや動画擬似輪郭をより確実に抑制することができる。
【０１５８】
また、上記の映像処理装置において、前記第１の画像は、前景を表す前景画像を含み、前記第２の画像は、背景を表す背景画像を含み、前記前景画像と前記背景画像とが重なる画素毎に、前記前景画像及び前記背景画像のいずれであるかを表す奥行き情報を作成する奥行き情報作成部と、前記奥行き情報作成部によって作成された前記奥行き情報で特定される前記前景画像を構成する画素について、前記動きベクトル検出部により検出された動きベクトルに対応する画素分だけ空間的に後方に移動した位置にある画素に対応するサブフィールドの発光データを、移動前の画素のサブフィールドの発光データに変更することにより、前記サブフィールド変換部により変換された各サブフィールドの発光データを空間的に再配置し、各サブフィールドの再配置発光データを生成する第２の再生成部とをさらに備えることが好ましい。
【０１５９】
この構成によれば、前景画像と背景画像とが重なる画素毎に、前景画像及び背景画像のいずれであるかを表す奥行き情報が作成される。そして、奥行き情報で特定される前景画像を構成する画素について、動きベクトルに対応する画素分だけ空間的に後方に移動した位置にある画素に対応するサブフィールドの発光データを、移動前の画素のサブフィールドの発光データに変更することにより、各サブフィールドの発光データが空間的に再配置され、各サブフィールドの再配置発光データが生成される。
【０１６０】
したがって、前景画像と背景画像とが重なる場合、前景画像を構成する画素について、動きベクトルに対応する画素分だけ空間的に後方に移動した位置にある画素に対応するサブフィールドの発光データが、移動前の画素のサブフィールドの発光データに変更されるので、前景画像の移動に応じて視聴者の視線方向がスムーズに移動することとなり、前景画像と背景画像との重なり部分で発生する動画ボヤケや動画擬似輪郭を抑制することができる。
【０１６１】
また、上記の映像処理装置において、前記前景画像は、文字であることが好ましい。この構成によれば、文字と背景画像とが重なる場合、文字を構成する画素について、動きベクトルに対応する画素分だけ空間的に後方に移動した位置にある画素に対応するサブフィールドの発光データが、移動前の画素のサブフィールドの発光データに変更されるので、文字の移動に応じて視聴者の視線方向がスムーズに移動することとなり、文字と背景画像との重なり部分で発生する動画ボヤケや動画擬似輪郭を抑制することができる。
【０１６２】
また、上記の映像処理装置において、前記第２の再生成部は、前記入力画像において水平方向に移動する前記前景画像を構成する画素についてのみ、前記動きベクトル検出部により検出された動きベクトルに対応する画素分だけ空間的に後方に移動した位置にある画素に対応するサブフィールドの発光データを、移動前の画素のサブフィールドの発光データに変更することが好ましい。
【０１６３】
この構成によれば、入力画像において水平方向に移動する前景画像を構成する画素についてのみ、動きベクトルに対応する画素分だけ空間的に後方に移動した位置にある画素に対応するサブフィールドの発光データが、移動前の画素のサブフィールドの発光データに変更されるので、垂直方向のラインメモリの数を削減することができ、第２の再生成部によって用いられるメモリを小さくすることができる。
【０１６４】
また、上記の映像処理装置において、前記奥行き情報作成部は、少なくとも２フレーム以上の動きベクトルの大きさに基づいて、前記奥行き情報を作成することが好ましい。この構成によれば、少なくとも２フレーム以上の動きベクトルの大きさに基づいて、奥行き情報を作成することができる。
【０１６５】
本発明の他の局面に係る映像表示装置は、上記のいずれかに記載の映像処理装置と、前記映像処理装置から出力される補正後の再配置発光データを用いて映像を表示する表示部とを備える。
【０１６６】
この映像表示装置においては、動きベクトルに対応する画素分だけ空間的に前方に位置する画素のサブフィールドの発光データを収集する際に、入力画像における、第１の画像と、第１の画像に接する第２の画像との隣接領域を越えて発光データが収集されないので、前景画像と背景画像との境界付近で発生する動画ボヤケや動画擬似輪郭をより確実に抑制することができる。
【０１６７】
なお、発明を実施するための形態の項においてなされた具体的な実施態様または実施例は、あくまでも、本発明の技術内容を明らかにするものであって、そのような具体例にのみ限定して狭義に解釈されるべきものではなく、本発明の精神と特許請求事項との範囲内で、種々変更して実施することができるものである。
【産業上の利用可能性】
【０１６８】
本発明に係る映像処理装置は、動画ボヤケや動画擬似輪郭をより確実に抑制することができるので、１フィールド又は１フレームを複数のサブフィールドに分割し、発光する発光サブフィールド及び発光しない非発光サブフィールドを組み合わせて階調表示を行うために入力画像を処理する映像処理装置等として有用である。
【手続補正３】
【補正対象書類名】図面
【補正対象項目名】全図
【補正方法】変更
【補正の内容】
【図１】
2010073562.tif 000034
【図２】
2010073562.tif 000035
【図３】
2010073562.tif 000036
【図４】
2010073562.tif 000037
【図５】
2010073562.tif 000038
【図６】
2010073562.tif 000039
【図７】
2010073562.tif 000040
【図８】
2010073562.tif 000041
【図９】
2010073562.tif 000042
【図１０】
2010073562.tif 000043
【図１１】
2010073562.tif 000044
【図１２】
2010073562.tif 000045
【図１３】
2010073562.tif 000046
【図１４】
2010073562.tif 000047
【図１５】
2010073562.tif 000048
【図１６】
2010073562.tif 000049
【図１７】
2010073562.tif 000050
【図１８】
2010073562.tif 000051
【図１９】
2010073562.tif 000052
【図２０】
2010073562.tif 000053
【図２１】
2010073562.tif 000054
【図２２】
2010073562.tif 000055
【図２３】
2010073562.tif 000056
【図２４】
2010073562.tif 000057
【図２５】
2010073562.tif 000058
【図２６】
2010073562.tif 000059
【図２８】
2010073562.tif 000060
【図２９】
2010073562.tif 000061
【図３０】
2010073562.tif 000062
【図３１】
2010073562.tif 000063
【図２７】
2010073562.tif 000064
【国際調査報告】
2010073562.tif 000065
2010073562.tif 000066